(57)【要約】  認証相手の移動を考慮した認証間隔を設定することにより、認証の応答性の確保と消費電力の低減との両立を図ることができる移動通信装置。この装置では、第１のセンサー部（１１１）は、移動を検出する。第１の制御部（１１２）は、第１のセンサー部（１１１）のセンサー出力値に基づいて、移動通信端末装置（１０１）が移動したか否かを判定する。第１の認証周期決定部（１１３）は、第１の制御部（１１２）における移動の有無の判定結果と、キーユニット（１０２）の移動の有無の情報とに基づいて、認証周期を決定する。第１のタイミング発生部（１１４）は、第１の認証周期決定部（１１３）で決定した認証周期で認証を行うようにタイミングを制御する。第１のシーケンス処理部（１１６）は、キーユニット（１０２）の第２のシーケンス処理部（１２５）との間で無線認証を行う。
2008081547.tif 000002
【特許請求の範囲】
【請求項１】
移動を検出する移動検出手段と、
通信相手の移動の情報である移動情報を受信する受信手段と、
前記移動検出手段における前記検出の結果及び前記移動情報に基づいて前記通信相手と間欠的に無線で認証を行う周期である認証周期を決定する認証周期決定手段と、
決定した前記認証周期で前記通信相手との間で認証を行う認証手段と、
を具備する移動通信装置。
【請求項２】
前記認証周期決定手段は、前記移動検出手段で移動を検出せずかつ前記通信相手が移動しないことを示す前記移動情報を受信した場合に、前記移動検出手段で移動を検出した場合または前記通信相手が移動したことを示す前記移動情報を受信した場合に比べて前記認証周期を長くする請求項１記載の移動通信装置。
【請求項３】
前記認証周期決定手段は、移動していない前記検出の結果及び前記通信相手が移動していない前記移動情報を取得する毎に前記認証周期決定用のパラメータ値を更新するとともに、更新後の前記パラメータ値が閾値を超えた場合に、前記パラメータ値が閾値以下の場合に比べて前記認証周期を長くする請求項１記載の移動通信装置。
【請求項４】
移動を行わない時間帯を任意で設定可能な時間帯設定手段を具備し、
前記認証周期決定手段は、設定した前記時間帯と前記時間帯以外の時間帯とで異なる前記閾値を設定する請求項３記載の移動通信装置。
【請求項５】
前記認証周期決定手段は、移動の有無を示す前記検出の結果及び前記通信相手の移動の有無を示す前記移動情報に基づいて前記認証周期を決定する請求項１記載の移動通信装置。
【請求項６】
前記認証周期決定手段は、所定時間における移動量を示す前記検出の結果及び前記通信相手の所定時間における移動量を示す前記移動情報に基づいて前記認証周期を決定する請求項１記載の移動通信装置。
【請求項７】
前記認証周期決定手段は、前記検出の結果における移動量と前記移動情報の移動量とが等しい場合には、前記検出の結果における移動量と前記移動情報の移動量とが異なる場合に比べて、認証周期を長くする請求項６記載の移動通信装置。
【請求項８】
前記認証周期決定手段は、前記検出の結果における移動量と前記移動情報の移動量との差が所定の値よりも小さい場合には、前記検出の結果における移動量と前記移動情報の移動量との差が所定の値以上である場合に比べて、認証周期を長くする請求項６記載の移動通信装置。
【請求項９】
前記認証周期決定手段で決定した前記認証周期の情報を前記通信相手に送信する送信手段を具備する請求項１記載の移動通信装置。
【請求項１０】
第１移動通信装置と第２移動通信装置との間で相互に無線で認証を行う無線認証システムであって、
前記第１移動通信装置は、移動を検出するとともに、前記検出の結果と前記第２移動通信装置の移動の有無の情報である移動情報とに基づいて決定した認証周期で前記第２移動通信装置との間で認証を行い、
前記第２移動通信装置は、移動を検出するとともに、前記検出の結果と前記第１移動通信装置の移動の有無の情報である移動情報とに基づいて決定した認証周期で前記第１移動通信装置との間で認証を行う無線認証システム。
【請求項１１】
第１移動通信装置が移動を検出するステップと、
第２移動通信装置の移動の情報である移動情報を前記第１移動通信装置が受信するステップと、
前記第１移動通信装置が、前記検出の結果及び前記移動情報に基づいて前記第２移動通信装置と間欠的に無線で認証を行う周期である認証周期を決定するステップと、
前記第１移動通信装置と前記第２移動通信装置との間で、決定した前記認証周期で認証を行うステップと、
を具備する無線認証方法。
【発明の詳細な説明】
【技術分野】
【０００１】
本発明は、特に無線認証を行う移動通信装置、無線認証システム及び無線認証方法に関する。
【背景技術】
【０００２】
従来、移動局が間欠受信を行う移動体通信システムにおいて、移動局の低消費電力化を図るために、移動局の間欠受信間隔を変化させるものが知られている（例えば、特許文献１）。【０００３】
特許文献１によれば、移動局は、着呼頻度または電波状況等に応じて、間欠受信間隔を変化させる。このような間欠受信間隔を変化させることは、無線認証技術にも適用することができる。
【特許文献１】特開２０００−２６１３６４号公報
【発明の開示】
【発明が解決しようとする課題】
【０００４】
しかしながら、特許文献１においては、移動局と通信を行う基地局は移動しないので、移動局は、基地局の移動を考慮することなく間欠受信間隔を設定している。従って、特許文献１に記載の移動体通信システムを、互いに移動する通信装置間の無線認証システムに適用する場合には、一方の通信装置については移動を考慮するが、他方の通信装置については移動を考慮することなく認証間隔を設定することとなる。この場合、例えば移動を考慮する通信装置が静止している場合で且つ移動を考慮しない通信装置が移動している場合には、それぞれの通信装置では移動が検出されないため、それぞれの通信装置は、互いに静止しているものとして認証間隔を延長する。しかし、通信装置が移動している場合は認証間隔を短縮しないと認証における所望の応答性を確保することができないという問題がある。【０００５】
本発明の目的は、認証相手の移動を考慮した認証間隔を設定することにより、認証の応答性の確保と消費電力の低減との両立を図ることができる移動通信装置、無線認証システム及び無線認証方法を提供することである。
【課題を解決するための手段】
【０００６】
本発明の移動通信装置は、移動を検出する移動検出手段と、通信相手の移動の情報である移動情報を受信する受信手段と、前記移動検出手段における前記検出の結果及び前記移動情報に基づいて前記通信相手と間欠的に無線で認証を行う周期である認証周期を決定する認証周期決定手段と、決定した前記認証周期で前記通信相手と認証を行う認証手段と、を具備する構成を採る。【０００７】
本発明の無線認証システムは、第１移動通信装置と第２移動通信装置との間で相互に無線で認証を行う無線認証システムであって、前記第１移動通信装置は、移動を検出するとともに、前記検出の結果と前記第２移動通信装置の移動の有無の情報である移動情報とに基づいて決定した認証周期で前記第２移動通信装置との間で認証を行い、前記第２移動通信装置は、移動を検出するとともに、前記検出の結果と前記第１移動通信装置の移動の有無の情報である移動情報とに基づいて決定した認証周期で前記第１移動通信装置との間で認証を行う構成を採る。【０００８】
本発明の無線認証方法は、第１移動通信装置が移動を検出するステップと、第２移動通信装置の移動の情報である移動情報を前記第１移動通信装置が受信するステップと、前記第１移動通信装置が、前記検出の結果及び前記移動情報に基づいて前記第２移動通信装置と間欠的に無線で認証を行う周期である認証周期を決定するステップと、前記第１移動通信装置と前記第２移動通信装置との間で、決定した前記認証周期で認証を行うステップと、を具備するようにした。
【発明の効果】
【０００９】
本発明によれば、認証相手の移動を考慮した認証間隔を決定することにより、認証の応答性の確保と消費電力の低減との両立を図ることができる。
【図面の簡単な説明】
【００１０】
【図１】本発明の実施の形態１に係る無線認証システムの構成を示す図
【図２】本発明の実施の形態１に係る無線認証方法を示すフロー図
【図３】本発明の実施の形態１に係る無線認証方法を示すフロー図
【図４】本発明の実施の形態２に係る無線認証システムの構成を示す図
【図５】本発明の実施の形態２に係る無線認証方法を示すフロー図
【図６】本発明の実施の形態２に係る無線認証方法を示すフロー図
【図７】本発明の実施の形態３に係る無線認証方法を示すフロー図
【図８】本発明の実施の形態３に係る無線認証方法を示すフロー図
【図９】本発明の実施の形態４に係る無線認証システムの構成を示す図
【図１０】本発明の実施の形態４に係る無線認証方法を示すフロー図
【図１１】本発明の実施の形態４に係る無線認証方法を示すフロー図
【発明を実施するための最良の形態】
【００１１】
以下、本発明の実施の形態について、図面を参照して詳細に説明する。本発明に係る無線認証システムは、互いに移動可能な複数の移動通信装置から構成される。【００１２】
（実施の形態１）
図１は、本発明の実施の形態１に係る無線認証システム１００を示すブロック図である。本実施の形態１においては、移動通信端末装置１０１とキーユニット１０２とから無線認証システム１００が構成される場合を例に説明する。なお、無線認証システム１００は、移動通信端末装置１０１とキーユニット１０２とから構成される場合に限らず、任意の複数の移動可能な移動通信装置により構成することが可能である。【００１３】
最初に、移動通信端末装置１０１の構成について説明する。【００１４】
入力部１１０は、通話開始信号または通話終了信号等の外部からの操作に応じた信号を第１の制御部１１２へ出力する。【００１５】
移動検出手段である第１のセンサー部１１１は、移動通信端末装置１０１の移動の有無を検出し、検出結果をセンサー出力値として第１の制御部１１２へ出力する。第１のセンサー部１１１は、例えば、加速度センサー、振動センサー、ジャイロセンサー、ＧＰＳ（Global Positioning System）等のＳＰＳ（Satellite Positioning System）、ＣＣＤ（Charge Coupled Device）センサー、液晶の照度制御用光センサー、移動通信端末装置１０１が折り畳み式の筐体を有する場合の筐体が折り畳んだ状態から開放状態になったことを検出する検出センサーである。【００１６】
移動検出手段である第１の制御部１１２は、入力部１１０から入力した信号を処理する。また、第１の制御部１１２は、第１のタイミング発生部１１４から入力したタイミング信号に従って、認証を行うタイミングで、第１のセンサー部１１１から入力したセンサー出力値に基づいて、移動通信端末装置１０１の移動の有無の情報である移動検出情報を生成し、生成した移動検出情報を第１のシーケンス処理部１１６へ出力する。また、第１の制御部１１２は、第１のタイミング発生部１１４から入力したタイミング信号に従って、認証を行うタイミングで、第１のセンサー部１１１から入力したセンサー出力値に基づいて、移動通信端末装置１０１が移動したか否かを判定し、判定結果を移動情報として第１の認証周期決定部１１３へ出力する。具体的には、第１の制御部１１２は、第１のセンサー部１１１から入力したセンサー出力値が一定時間内において移動を示していない場合に、移動通信端末装置１０１が静止しているものと判定するとともに移動通信端末装置１０１の静止を示す移動検出情報を生成する。一方、第１の制御部１１２は、第１のセンサー部１１１から入力したセンサー出力値が一定時間内における移動を示した場合に、移動通信端末装置１０１が移動しているものと判定するとともに移動通信端末装置１０１の移動を示す移動検出情報を生成する。【００１７】
例えば、第１の制御部１１２は、加速度センサー、振動センサー、ジャイロセンサーなどの第１のセンサー部１１１のセンサー出力値が予め定めた所定値未満の場合には、移動を示していない、すなわち、静止していると判定し、センサー出力値が所定値以上の場合は、移動していると判定する。これらのセンサー出力値は、ベクトル量であってもスカラー量であってもよい。また、例えば、第１の制御部１１２は、ＧＰＳ等のＳＰＳにより検出した位置のセンサー出力値の一定時間以内の変化が予め定めた所定値未満の場合には、移動を示していない、すなわち、静止していると判定し、センサー出力値の一定時間以内の変化が予め定めた所定値以上の場合は、移動していると判定する。これらのセンサーの出力値は、ベクトル量であってもスカラー量であってもよい。また、例えば、第１の制御部１１２は、ＣＣＤ（Charge Coupled Devices）センサー、液晶の照度制御用光センサーなどのセンサー出力値の一定時間以内の変化が予め定めた所定値未満の場合には、移動を示していない、すなわち、静止していると判定し、センサー出力値の一定時間以内の変化が予め定めた所定値以上の場合は、移動していると判定する。また、これらのセンサー出力値が示す量を便宜上、移動検出量または移動量と呼ぶことにする。【００１８】
また、例えば、第１の制御部１１２は、移動通信端末装置１０１が折り畳み式の筐体を有する場合の筐体が折り畳んだ状態から開放状態になったことを第１のセンサー部１１１が検出しない場合に、移動を示していない、すなわち、静止していると判定し、折り畳んだ状態から開放状態になったことを第１のセンサー部１１１が検出した場合は、移動していると判定する。【００１９】
第１の認証周期決定部１１３は、第１の制御部１１２から入力した移動通信端末装置１０１の移動の有無の情報である移動情報と、第１の無線送受信部１１５から入力したキーユニット１０２の移動の有無の情報である移動情報とに基づいて、認証周期を決定する。そして、第１の認証周期決定部１１３は、決定した認証周期をタイミング情報として第１のタイミング発生部１１４へ出力する。なお、認証周期の決定の方法については、後述する。【００２０】
第１のタイミング発生部１１４は、移動通信端末装置１０１がキーユニット１０２と間欠的に通信を行う場合のタイミングを制御する。また、第１のタイミング発生部１１４は、第１の認証周期決定部１１３から入力したタイミング情報の認証周期で認証を行うためのタイミング信号を生成する。そして、第１のタイミング発生部１１４は、生成したタイミング信号を第１の制御部１１２及び第１の無線送受信部１１５へ出力する。【００２１】
第１の無線送受信部１１５は、第１のタイミング発生部１１４から入力したタイミング信号に従って、認証を行うタイミングで、第１のシーケンス処理部１１６から入力した認証情報を含むベースバンド信号により変調した無線信号をアンテナ１１７へ出力する。また、第１の無線送受信部１１５は、アンテナ１１７から入力した無線信号を復調しベースバンド信号を得る。そして、第１の無線送受信部１１５は、ベースバンド信号から認証情報及びキーユニット１０２の移動検出情報を抽出し、抽出した認証情報を第１のシーケンス処理部１１６へ出力するとともに、抽出した移動検出情報を第１の認証周期決定部１１３へ出力する。【００２２】
認証手段である第１のシーケンス処理部１１６は、キーユニット１０２が移動通信端末装置１０１を認証するための情報である認証情報を第１の無線送受信部１１５へ出力する。この際に、第１のシーケンス処理部１１６は、第１の制御部１１２から入力した移動検出情報を認証情報に付加し、移動検出情報を付加した認証情報を第１の無線送受信部１１５へ出力する。また、第１のシーケンス処理部１１６は、第１の無線送受信部１１５から入力した認証情報に基づいて、キーユニット１０２を認証する。具体的には、第１のシーケンス処理部１１６は、キーユニット１０２の第２のシーケンス処理部１２５が所有するＩＤと予め関連付けされたＩＤを所有し、無線通信により互いが１対であることを把握することで常時認証を行う。【００２３】
アンテナ１１７は、第１の無線送受信部１１５から入力した信号をキーユニット１０２に対して送信するとともに、キーユニット１０２から送信された信号を受信して第１の無線送受信部１１５へ出力する。【００２４】
次に、キーユニット１０２の構成について説明する。ここで、キーユニット１０２とは、置き忘れや盗難により移動通信端末装置１０１が所有者又は使用者の手元から離れた場合に、移動通信端末装置１０１を使用不能にするとともに、移動通信端末装置１０１が一定距離以上キーユニット１０２から離れたことを警告する移動通信装置である。【００２５】
移動検出手段である第２のセンサー部１２０は、キーユニット１０２の移動の有無を検出し、検出結果をセンサー出力値として第２の制御部１２１へ出力する。第２のセンサー部１２０は、例えば、加速度センサー、振動センサー、ジャイロセンサー、ＧＰＳ、ＣＣＤセンサー、液晶の照度制御用光センサーである。【００２６】
移動検出手段である第２の制御部１２１は、第２のタイミング発生部１２３から入力したタイミング信号に従って、認証を行うタイミングで、第２のセンサー部１２０から入力したセンサー出力値に基づいて、キーユニット１０２の移動の有無の情報である移動検出情報を生成し、生成した移動検出情報を第２のシーケンス処理部１２５へ出力する。また、第２の制御部１２１は、第２のタイミング発生部１２３から入力したタイミング信号に従って、認証を行うタイミングで、第２のセンサー部１２０から入力したセンサー出力値に基づいて、キーユニット１０２が移動したか否かを判定し、判定結果を第２の認証周期決定部１２２へ出力する。具体的には、第２の制御部１２１は、第２のセンサー部１２０から入力したセンサー出力値が一定時間内に変動しない場合に、キーユニット１０２が静止しているものと判定するとともにキーユニット１０２が静止している移動検出情報を生成する。一方、第２の制御部１２１は、第２のセンサー部１２０から入力したセンサー出力値が一定時間内に変動する場合に、キーユニット１０２が移動しているものと判定するとともにキーユニット１０２が移動している移動検出情報を生成する。【００２７】
第２の認証周期決定部１２２は、第２の制御部１２１から入力した判定結果と、第２の無線送受信部１２４から入力した移動通信端末装置１０１の移動の有無の情報である移動情報とに基づいて、認証周期を決定する。そして、第２の認証周期決定部１２２は、決定した認証周期をタイミング情報として第２のタイミング発生部１２３へ出力する。なお、認証周期の決定の方法については、後述する。【００２８】
第２のタイミング発生部１２３は、キーユニット１０２が移動通信端末装置１０１と間欠的に通信を行う場合のタイミングを制御する。また、第２のタイミング発生部１２３は、第２の認証周期決定部１２２から入力したタイミング情報の認証周期で認証を行うためのタイミング信号を生成する。そして、第２のタイミング発生部１２３は、生成したタイミング信号を第２の制御部１２１及び第２の無線送受信部１２４へ出力する。【００２９】
第２の無線送受信部１２４は、第２のタイミング発生部１２３から入力したタイミング信号に従って、認証を行うタイミングで、第２のシーケンス処理部１２５から入力した認証情報を含むベースバンド信号により変調した無線信号をアンテナ１２６へ出力する。また、第２の無線送受信部１２４は、アンテナ１２６から入力した無線信号を復調しベースバンド信号を得る。そして、第２の無線送受信部１２４は、ベースバンド信号から認証情報及び移動通信端末装置１０１の移動検出情報を抽出し、抽出した認証情報を第２のシーケンス処理部１２５へ出力するとともに、抽出した移動検出情報を第２の認証周期決定部１２２へ出力する。【００３０】
認証手段である第２のシーケンス処理部１２５は、移動通信端末装置１０１がキーユニット１０２を認証するための情報である認証情報を第２の無線送受信部１２４へ出力する。この際に、第２のシーケンス処理部１２５は、第２の制御部１２１から入力した移動検出情報を認証情報に付加し、移動検出情報を付加した認証情報を第２の無線送受信部１２４へ出力する。また、第２のシーケンス処理部１２５は、第２の無線送受信部１２４から入力した認証情報に基づいて、移動通信端末装置１０１を認証する。具体的には、第２のシーケンス処理部１２５は、移動通信端末装置１０１の第１のシーケンス処理部１１６が所有するＩＤと予め関連付けされたＩＤを所有し、無線通信により互いが１対であることを把握することで常時認証を行う。【００３１】
アンテナ１２６は、第２の無線送受信部１２４から入力した信号を移動通信端末装置１０１に対して送信するとともに、移動通信端末装置１０１から送信された信号を受信して第２の無線送受信部１２４へ出力する。【００３２】
次に、無線認証システム１００を用いた無線認証方法について、図２及び図３を用いて説明する。図２及び図３は、無線認証方法を示すフロー図である。【００３３】
最初に、移動通信端末装置１０１における無線認証方法について、図２を用いて説明する。図２より、移動通信端末装置１０１の図示しない電源供給部は、移動通信端末装置１０１に電源を供給する（電源投入）（ステップＳＴ２０１）。【００３４】
次に、第１のシーケンス処理部１１６は、キーユニット１０２の第２のシーケンス処理部１２５との間で接続設定等のペアリング処理を行い、認証周期Ｐα＝Ｐ０で認証を行うための同期を取る（ステップＳＴ２０２）。【００３５】
次に、第１の制御部１１２は、フラグＦαをリセットするとともに、第１の認証周期決定部１１３は、フラグＥα（認証周期決定用のパラメータ値）をリセットする（Ｆα＝０、Ｅα＝０）（ステップＳＴ２０３）。ここで、「α」は、移動通信端末装置１０１で設定されるフラグであることを示し、「Ｆ」は、移動通信端末装置１０１またはキーユニット１０２の何れか一方のみの移動の有無を示すフラグであることを示すとともに、「Ｅ」は、移動通信端末装置１０１とキーユニット１０２の双方の移動の有無を考慮して設定されるフラグであることを示す。【００３６】
次に、第１のセンサー部１１１は、移動通信端末装置１０１の移動の有無を検出し、第１の制御部１１２は、第１のセンサー部１１１のセンサー出力値に基づいて、移動通信端末装置１０１が移動したか否か、即ち移動通信端末装置１０１が静止しているか否かを判定する（ステップＳＴ２０４）。【００３７】
移動通信端末装置１０１が静止していると判定した場合に、第１の制御部１１２は、第１のタイミング発生部１１４から入力したタイミング信号に基づいて、認証のタイミングであるか否かを判定する（ステップＳＴ２０５）。【００３８】
一方、ステップＳＴ２０４において、第１の制御部１１２は、移動通信端末装置１０１が静止していないと判定した場合に、移動通信端末装置１０１のフラグＦαを「１」に設定し（Ｆα＝１）（ステップＳＴ２０６）、第１の制御部１１２は、第１のタイミング発生部１１４から入力したタイミング信号に基づいて、認証のタイミングであるか否かを判定する（ステップＳＴ２０５）。【００３９】
ここで、例えば、第１のセンサー部１１１が加速度センサーである場合には、第１の制御部１１２は、第１のセンサー部１１１が所定の値以上の加速度を検出した場合に移動通信端末装置１０１は移動したものと判定する。また、第１のセンサー部１１１がＧＰＳである場合には、第１の制御部１１２は、第１のセンサー部１１１が緯度及び経度の変化を検出した場合に移動通信端末装置１０１は移動したものと判定する。また、第１のセンサー部１１１がカメラのＣＣＤセンサーである場合には、第１の制御部１１２は、ＣＣＤセンサーで検出した輝度または色度の変化を検出した場合に移動通信端末装置１０１は移動したものと判定する。また、第１のセンサー部１１１が液晶の照度制御用光センサーである場合には、第１の制御部１１２は、第１のセンサー部１１１が制御する液晶の照度が所定の値以上変化する場合に移動通信端末装置１０１は移動したものと判定する。また、第１のセンサー部１１１が筐体が折り畳んだ状態から開放状態になったことを検出する検出センサーである場合には、第１の制御部１１２は、第１のセンサー部１１１が筐体が折り畳んだ状態から開放状態になったことを検出した場合に移動通信端末装置１０１は移動したものと判定する。【００４０】
ステップＳＴ２０５において、第１の制御部１１２が認証のタイミングであると判定した場合に、第１のシーケンス処理部１１６は、第１の制御部１１２からの認証のタイミングの通知を受けて、キーユニット１０２の第２のシーケンス処理部１２５との間で認証処理を行う（ステップＳＴ２０７）。この際に、第１のシーケンス処理部１１６は、第１の制御部１１２で設定したフラグＦαを取得し、取得したフラグＦαを移動検出情報として認証情報に付加し、第１の無線送受信部１１５は、移動検出情報を付加した認証情報をキーユニット１０２へ送信する。また、第１の無線送受信部１１５は、キーユニット１０２から送信されたキーユニット１０２の移動の有無を示す移動検出情報であるフラグＦβをアンテナ１１７を介して受信する。ここで、「β」は、キーユニット１０２で設定されるフラグであることを示す。一方、ステップＳＴ２０５において、第１の制御部１１２が認証のタイミングでないと判定した場合には、ステップＳＴ２０４〜ステップＳＴ２０６の処理を繰り返す。【００４１】
次に、移動通信端末装置１０１は、通信に成功したか否かを判定する（ステップＳＴ２０８）。【００４２】
通信に成功しなかった場合には、移動通信端末装置１０１は、ステップＳＴ２０４〜ステップＳＴ２０８の処理を繰り返す。【００４３】
一方、通信に成功した場合には、第１の認証周期決定部１１３は、第１の制御部１１２から取得したフラグＦαより、移動通信端末装置１０１が静止しているか否か、即ちＦα＝０であるか否かを判定する（ステップＳＴ２０９）。【００４４】
Ｆα＝０でない場合には、第１の認証周期決定部１１３は、認証周期Ｐαをリセットして、認証周期ＰαをＰ０に設定する（Ｐα＝Ｐ０）（ステップＳＴ２１０）。【００４５】
一方、Ｆα＝０である場合には、第１の認証周期決定部１１３は、第１の無線送受信部１１５から取得したフラグＦβより、キーユニット１０２が静止しているか否か、即ちＦβ＝０であるか否かを判定する（ステップＳＴ２１１）。【００４６】
Ｅβ＝０でない場合には、第１の認証周期決定部１１３は、認証周期Ｐαをリセットして、認証周期ＰαをＰ０に設定する（Ｐα＝Ｐ０）（ステップＳＴ２１０）。【００４７】
一方、Ｅβ＝０である場合には、第１の認証周期決定部１１３は、静止条件の重み付けを行う（ステップＳＴ２１２）。具体的には、第１の認証周期決定部１１３は、フラグＥαに重み係数Ｗｅ（Ｗｅ＞０）を加算してフラグＥαの値を更新する（Ｅα＝Ｅα＋Ｗｅ）。【００４８】
次に、第１の認証周期決定部１１３は、更新後のフラグＥα（Ｅα＋Ｗｅ）が、閾値Ｔを超えているか否かを判定する（Ｅα＞Ｔ？）（ステップＳＴ２１３）。【００４９】
更新後のフラグＥαが、閾値Ｔを超えていない場合には、ステップＳＴ２０４〜ステップＳＴ２１３の処理を繰り返す。【００５０】
一方、更新後のフラグＥαが、閾値Ｔを超えている場合には、第１の認証周期決定部１１３は、認証周期を延長する（ステップＳＴ２１４）。具体的には、第１の認証周期決定部１１３は、認証周期ＰαにΔＰ（Ｐ＞０）を加算して認証周期Ｐαを更新する（Ｐα＝Ｐα＋ΔＰ）。この際に、第１の認証周期決定部１１３は、更新後の認証周期Ｐαが上限閾値以上の場合には、認証周期Ｐαが上限閾値以上にならないように、認証周期Ｐαを上限閾値に設定する。【００５１】
そして、ステップＳＴ２１０において認証周期をリセットした後、またはステップＳＴ２１４において認証周期を延長した後に、ステップＳＴ２０３〜ステップＳＴ２１４の処理を繰り返す。移動通信端末装置１０１は、１回の認証毎にステップＳＴ２０１〜ステップＳＴ２１４の処理を実行する。【００５２】
次に、キーユニット１０２における無線認証方法について、図３を用いて説明する。図３より、キーユニット１０２の図示しない電源供給部は、キーユニット１０２に電源を供給する（電源投入）（ステップＳＴ３０１）。【００５３】
次に、第２のシーケンス処理部１２５は、移動通信端末装置１０１の第１のシーケンス処理部１１６との間で接続設定等のペアリング処理を行い、認証周期Ｐβ＝Ｐ０で認証を行うための同期を取る（ステップＳＴ３０２）。【００５４】
次に、第２の制御部１２１は、フラグＦβをリセットするとともに、第２の認証周期決定部１２２は、フラグＥβ（認証周期決定用のパラメータ値）をリセットする（Ｆβ＝０、Ｅβ＝０）（ステップＳＴ３０３）。【００５５】
次に、第２のセンサー部１２０は、キーユニット１０２の移動の有無を検出し、第２の制御部１２１は、第２のセンサー部１２０におけるセンサー出力値に基づいて、キーユニット１０２が移動したか否か、即ちキーユニット１０２が静止しているか否かを判定する（ステップＳＴ３０４）。【００５６】
キーユニット１０２が静止していると判定した場合に、第２の制御部１２１は、第２のタイミング発生部１２３から入力したタイミング信号に基づいて、認証のタイミングであるか否かを判定する（ステップＳＴ３０５）。【００５７】
一方、ステップＳＴ３０４において、第２の制御部１２１は、キーユニット１０２が静止していないと判定した場合に、キーユニット１０２のフラグＦβを「１」に設定し（Ｆβ＝１）（ステップＳＴ３０６）、第２の制御部１２１は、第２のタイミング発生部１２３から入力したタイミング信号に基づいて、認証のタイミングであるか否かを判定する（ステップＳＴ３０５）。【００５８】
ステップＳＴ３０５において、第２の制御部１２１が認証のタイミングであると判定した場合に、第２のシーケンス処理部１２５は、第２の制御部１２１から認証のタイミングの通知を受けて、移動通信端末装置１０１の第１のシーケンス処理部１１６との間で認証処理を行う（ステップＳＴ３０７）。この際に、第２のシーケンス処理部１２５は、第２の制御部１２１で設定したフラグＦβを取得し、取得したフラグＦβを移動検出情報として認証情報に付加し、第２の無線送受信部１２４は、移動検出情報を付加した認証情報を移動通信端末装置１０１へ送信する。また、第２の無線送受信部１２４は、移動通信端末装置１０１から送信された移動通信端末装置１０１の移動の有無を示すフラグＦαをアンテナ１２６を介して受信する。一方、ステップＳＴ３０５において、第２の制御部１２１が認証のタイミングでないと判定した場合には、ステップＳＴ３０４〜ステップＳＴ３０６の処理を繰り返す。【００５９】
次に、キーユニット１０２は、通信に成功したか否かを判定する（ステップＳＴ３０８）。【００６０】
通信に成功しなかった場合には、キーユニット１０２は、ステップＳＴ３０４〜ステップＳＴ３０８の処理を繰り返す。【００６１】
一方、通信に成功した場合には、第２の認証周期決定部１２２は、第２の制御部１２１から取得したフラグＦβより、キーユニット１０２が静止しているか否か、即ちＦβ＝０であるか否かを判定する（ステップＳＴ３０９）。【００６２】
Ｆβ＝０でない場合には、第２の認証周期決定部１２２は、認証周期Ｐβをリセットして、認証周期ＰβをＰ０に設定する（Ｐβ＝Ｐ０）（ステップＳＴ３１０）。【００６３】
一方、Ｆβ＝０である場合には、第２の認証周期決定部１２２は、第２の無線送受信部１２４から取得したフラグＦαより、移動通信端末装置１０１が静止しているか否か、即ちＦα＝０であるか否かを判定する（ステップＳＴ３１１）。【００６４】
Ｆα＝０でない場合には、第２の認証周期決定部１２２は、認証周期Ｐβをリセットして、認証周期ＰβをＰ０に設定する（Ｐβ＝Ｐ０）（ステップＳＴ３１０）。【００６５】
一方、Ｆα＝０である場合には、第２の認証周期決定部１２２は、静止条件の重み付けを行う（ステップＳＴ３１２）。具体的には、第２の認証周期決定部１２２は、フラグＥβに重み係数Ｗｅを加算してフラグＥβの値を更新する（Ｅβ＝Ｅβ＋Ｗｅ）。【００６６】
次に、第２の認証周期決定部１２２は、更新後のフラグＥβ（Ｅβ＋Ｗｅ）が、閾値Ｔを超えているか否かを判定する（Ｅβ＞Ｔ？）（ステップＳＴ３１３）。【００６７】
更新後のフラグＥβが、閾値Ｔを超えていない場合には、ステップＳＴ３０４〜ステップＳＴ３１３の処理を繰り返す。【００６８】
一方、更新後のフラグＥβが、閾値Ｔを超えている場合には、第２の認証周期決定部１２２は、認証周期を延長する（ステップＳＴ３１４）。具体的には、第２の認証周期決定部１２２は、認証周期ＰβにΔＰを加算して認証周期Ｐβを更新する（Ｐβ＝Ｐβ＋ΔＰ）。この際に、第２の認証周期決定部１２２は、更新後の認証周期Ｐβが上限閾値以上の場合には、認証周期Ｐβが上限閾値以上にならないように、認証周期Ｐβを上限閾値に設定する。【００６９】
そして、ステップＳＴ３１０において認証周期をリセットした後、またはステップＳＴ３１４において認証周期を延長した後に、ステップＳＴ３０３〜ステップＳＴ３１４の処理を繰り返す。キーユニット１０２は、１回の認証毎にステップＳＴ３０１〜ステップＳＴ３１４の処理を実行する。【００７０】
このように、本実施の形態１によれば、認証相手の移動を考慮した認証間隔を決定することにより、認証の応答性の確保と消費電力の低減との両立を図ることができる。また、本実施の形態１によれば、移動通信端末装置及びキーユニットが静止していると判定する毎に静止条件の重み付けを行い、重み付けの都度、重み付け後のフラグと閾値とを比較し、重み付け後のフラグが閾値より大きくなった場合に初めて認証周期を延長するので、誤った判定結果により不用意に認証周期が延長されてしまうことを防ぐことができる。【００７１】
（実施の形態２）
図４は、本発明の実施の形態２に係る無線認証システム４００の構成を示す図である。本実施の形態２においては、移動通信端末装置４０１とキーユニット４０２とから無線認証システム４００が構成される場合を例に説明する。なお、無線認証システム４００は、移動通信端末装置４０１とキーユニット４０２とから構成される場合に限らず、任意の複数の移動可能な移動通信装置により構成することが可能である。【００７２】
本実施の形態２に係る移動通信端末装置４０１は、図１に示す実施の形態１に係る移動通信端末装置１０１において、図４に示すように、時間計測部４１０及び閾値設定部４１１を追加し、第１の認証周期決定部１１３に代えて第１の認証周期決定部４１１を有する。また、本実施の形態２に係るキーユニット４０２は、図１に示す実施の形態１に係るキーユニット１０２において、図４に示すように、時間計測部４２０、入力部４２１及び閾値設定部４２２を追加し、第２の認証周期決定部１２２に代えて第２の認証周期決定部４２２を有する。なお、図４においては、図１と同一構成である部分には同一の符号を付してその説明は省略する。【００７３】
最初に、移動通信端末装置４０１の構成について説明する。【００７４】
時間帯設定手段である入力部１１０は、通話開始信号または通話終了信号等の外部からの操作に応じた信号を第１の制御部１１２へ出力する。また、入力部１１０は、外部からの操作により任意の時間帯及び各時間帯における閾値を設定することが可能であり、設定した時間帯及び閾値を第１の認証周期決定部４１１へ出力する。例えば、入力部１１０は、移動通信端末装置４０１の移動が少ないと考えられる深夜の時間帯の閾値を、深夜以外の時間帯の閾値よりも小さい値に設定する。なお、入力部１１０は、あらかじめ設定した複数のしきい値を、設定した時間帯に応じて選択するような入力形態であっても良い。【００７５】
移動検出手段である第１の制御部１１２は、入力部１１０から入力した信号を処理する。また、第１の制御部１１２は、第１のタイミング発生部１１４から入力したタイミング信号に従って、認証を行うタイミングで、第１のセンサー部１１１から入力したセンサー出力値に基づいて、移動通信端末装置４０１の移動の有無の情報である移動検出情報を生成し、生成した移動検出情報を第１のシーケンス処理部１１６へ出力する。また、第１の制御部１１２は、第１のタイミング発生部１１４から入力したタイミング信号に従って、認証を行うタイミングで、第１のセンサー部１１１から入力したセンサー出力値に基づいて、移動通信端末装置４０１が移動したか否かを判定し、判定結果を第１の認証周期決定部４１１へ出力する。具体的には、第１の制御部１１２は、第１のセンサー部１１１から入力したセンサー出力値が一定時間内に変動しない場合に、移動通信端末装置４０１が静止しているものと判定するとともに移動通信端末装置４０１が静止している移動検出情報を生成する。一方、第１の制御部１１２は、第１のセンサー部１１１から入力したセンサー出力値が一定時間内に変動する場合に、移動通信端末装置４０１が移動しているものと判定するとともに移動通信端末装置４０１が移動している移動検出情報を生成する。【００７６】
時間計測部４１０は、時刻を計測し、計測した時刻を第１の認証周期決定部１１３へ出力する。【００７７】
第１の認証周期決定部４１１は、入力部１１０から入力した時間帯と閾値とを関係付けた閾値選択用情報を作成して記憶する。また、第１の認証周期決定部４１１は、時間計測部４１０から時刻が入力する毎に、入力した時刻を用いて閾値選択用情報を参照して閾値を選択する。そして、第１の認証周期決定部４１１は、選択した閾値、第１の制御部１１２から入力した検出結果、及び第１の無線送受信部１１５から入力したキーユニット１０２の移動の有無の情報である移動検出情報に基づいて、認証周期を決定する。そして、第１の認証周期決定部４１１は、決定した認証周期をタイミング情報として第１のタイミング発生部１１４へ出力する。【００７８】
第１のタイミング発生部１１４は、移動通信端末装置４０１がキーユニット４０２と間欠的に通信を行う場合のタイミングを制御する。また、第１のタイミング発生部１１４は、第１の認証周期決定部４１１から入力したタイミング情報の認証周期で認証を行うためのタイミング信号を生成する。そして、第１のタイミング発生部１１４は、生成したタイミング信号を第１の制御部１１２及び第１の無線送受信部１１５へ出力する。【００７９】
第１の無線送受信部１１５は、第１のタイミング発生部１１４から入力したタイミング信号に従って、認証を行うタイミングで、第１のシーケンス処理部１１６から入力した認証情報を含むベースバンド信号により変調した無線信号をアンテナ１１７へ出力する。また、第１の無線送受信部１１５は、アンテナ１１７から入力した無線信号を復調しベースバンド信号を得る。そして、第１の無線送受信部１１５は、ベースバンド信号から認証情報及び移動検出情報を抽出し、抽出した認証情報を第１のシーケンス処理部１１６へ出力するとともに、抽出した移動検出情報を第１の認証周期決定部４１１へ出力する。【００８０】
次に、キーユニット４０２の構成について説明する。【００８１】
時間計測部４２０は、時刻を計測し、計測した時刻を第２の認証周期決定部１２２へ出力する。【００８２】
入力部４２１は、外部からの操作により任意の時間帯及び各時間帯における閾値を設定することが可能であり、設定した時間帯及び閾値を第２の認証周期決定部１２２へ出力する。例えば、入力部４２１は、キーユニット４０２の移動が少ないと考えられる深夜の時間帯の閾値を、深夜以外の時間帯の閾値よりも小さい値に設定する。なお、入力部４２１は、あらかじめ設定した複数のしきい値を、設定した時間帯に応じて選択するような入力形態であっても良い。【００８３】
移動検出手段である第２の制御部１２１は、第２のタイミング発生部１２３から入力したタイミング信号に従って、認証を行うタイミングで、第２のセンサー部１２０から入力したセンサー出力値に基づいて、キーユニット４０２の移動の有無の情報である移動検出情報を生成し、生成した移動検出情報を第２のシーケンス処理部１２５へ出力する。また、第２の制御部１２１は、第２のタイミング発生部１２３から入力したタイミング信号に従って、認証を行うタイミングで、第２のセンサー部１２０から入力したセンサー出力値に基づいて、キーユニット４０２が移動したか否かを判定し、判定結果を第２の認証周期決定部４２２へ出力する。具体的には、第２の制御部１２１は、第２のセンサー部１２０から入力したセンサー出力値が一定時間内に変動しない場合に、キーユニット４０２が静止しているものと判定するとともにキーユニット４０２が静止している移動検出情報を生成する。一方、第２の制御部１２１は、第２のセンサー部１２０から入力したセンサー出力値が一定時間内に変動する場合に、キーユニット４０２が移動しているものと判定するとともにキーユニット４０２が移動している移動検出情報を生成する。【００８４】
第２の認証周期決定部４２２は、入力部４２１から入力した時間帯と閾値とを関係付けた閾値選択用情報を作成して記憶する。また、第２の認証周期決定部４２２は、時間計測部４２０から時刻が入力する毎に、入力した時刻を用いて閾値選択用情報を参照して閾値を選択する。そして、第２の認証周期決定部４２２は、選択した閾値、第２の制御部１２２から入力した検出結果、及び第２の無線送受信部１２４から入力した移動通信端末装置４０１の移動の有無の情報である移動情報に基づいて、認証周期を決定する。そして、第２の認証周期決定部４２２は、決定した認証周期をタイミング情報として第２のタイミング発生部１２３へ出力する。【００８５】
第２のタイミング発生部１２３は、キーユニット４０２が移動通信端末装置４０１と間欠的に通信を行う場合のタイミングを制御する。また、第２のタイミング発生部１２３は、第２の認証周期決定部４２２から入力したタイミング情報の認証周期で認証を行うためのタイミング信号を生成する。そして、第２のタイミング発生部１２３は、生成したタイミング信号を第２の制御部１２１及び第２の無線送受信部１２４へ出力する。【００８６】
第２の無線送受信部１２４は、第２のタイミング発生部１２３から入力したタイミング信号に従って、第２のシーケンス処理部１２５から入力した認証情報を含むベースバンド信号により変調した無線信号をアンテナ１２６へ出力する。また、第２の無線送受信部１２４は、アンテナ１２６から入力した信号を無線周波数を復調しベースバンド信号を得る。そして、第２の無線送受信部１２４は、ベースバンド信号から認証情報及び移動情報を抽出し、抽出した認証情報を第２のシーケンス処理部１２５へ出力するとともに、抽出した移動情報を第２の認証周期決定部４２２へ出力する。【００８７】
次に、無線認証システム４００を用いた無線認証方法について、図５及び図６を用いて説明する。図５及び図６は、無線認証方法を示すフロー図である。なお、図５及び図６においては、図２及び図３と同一処理を行う部分には同一の符号を付してその説明は省略する。【００８８】
最初に、移動通信端末装置４０１における無線認証方法について、図５を用いて説明する。【００８９】
ステップＳＴ２１１において、Ｆβ＝０である場合には、第１の認証周期決定部４１１は、第１の無線送受信部１１５から取得したフラグＦβより、キーユニット４０２が静止しているか否か、即ちＦβ＝０であるか否かを判定する（ステップＳＴ２１１）。【００９０】
Ｅβ＝０である場合には、第１の認証周期決定部４１１は、スリープ条件であるか否か、即ち時間計測部４１０から入力した時刻が、入力部１１０により移動が少ない時間帯として設定された時間帯に含まれるか否かを判定する（ステップＳＴ５０１）。【００９１】
スリープ条件である場合には、第１の認証周期決定部４１１は、閾値選択用情報を参照することにより、スリープ条件ではない場合に比べて低い値の閾値Ｔ１を選択して設定する（ステップＳＴ５０２）。【００９２】
一方、スリープ条件ではない場合には、第１の認証周期決定部４１１は、閾値選択用情報を参照することにより、スリープ条件である場合に比べて高い値の通常の閾値Ｔ０（Ｔ０＞Ｔ１）を選択して設定する（ステップＳＴ５０３）。即ち、閾値Ｔ１は、閾値Ｔ０に比べて認証周期を延長し易い値に設定された閾値である。【００９３】
次に、第１の認証周期決定部４１１は、静止条件の重み付けを行う（ステップＳＴ２１２）。【００９４】
次に、キーユニット４０２における無線認証方法について、図６を用いて説明する。【００９５】
ステップＳＴ３０９において、Ｆβ＝０である場合には、第２の認証周期決定部４２２は、第２の無線送受信部１２４から取得したフラグＦαより、移動通信端末装置４０１が静止しているか否か、即ちＦα＝０であるか否かを判定する（ステップＳＴ３１１）。【００９６】
Ｆα＝０である場合には、第２の認証周期決定部４２２は、スリープ条件であるか否か、即ち時間計測部４２０から入力した時刻が、入力部４２１により移動が少ない時間帯として設定された時間帯に含まれるか否かを判定する（ステップＳＴ６０１）。【００９７】
スリープ条件である場合には、第２の認証周期決定部４２２は、閾値選択用情報を参照することにより、スリープ条件ではない場合に比べて低い値の閾値Ｔ１を選択して設定する（ステップＳＴ６０２）。【００９８】
一方、スリープ条件ではない場合には、第２の認証周期決定部４２２は、閾値選択用情報を参照することにより、スリープ条件である場合に比べて高い値の通常の閾値Ｔ０（Ｔ０＞Ｔ１）を選択して設定する（ステップＳＴ６０３）。【００９９】
次に、第２の認証周期決定部４２２は、静止条件の重み付けを行う（ステップＳＴ３１２）。【０１００】
このように、本実施の形態２によれば、上記実施の形態１の効果に加えて、移動が少ないと考えられる時間帯の閾値を通常の閾値よりも低い値に設定するので、例えば深夜等の移動が少ない時間帯における認証周期を長く設定されやすくすることができることにより、認証の応答性を確保した状態で、さらに消費電力を低減することができる。【０１０１】
（実施の形態３）
図７及び図８は、本発明の実施の形態３に係る無線認証方法を示すフロー図である。なお、本実施の形態３においては、移動通信端末装置及びキーユニットは図１と同一構成であるので、その説明は省略する。【０１０２】
最初に、移動通信端末装置１０１における無線認証方法について、図７を用いて説明する。なお、本実施の形態３において、移動通信端末装置及びキーユニットの構成は図１と同一構成であるので、図７では、移動通信端末装置及びキーユニットの参照符号は、図１と同一の参照符号を用いて説明する。【０１０３】
図７より、移動通信端末装置１０１の図示しない電源供給部は、移動通信端末装置１０１に電源を供給する（電源投入）（ステップＳＴ７０１）。【０１０４】
次に、第１のシーケンス処理部１１６は、キーユニット１０２の第２のシーケンス処理部１２５との間で接続設定等のペアリング処理を行い、認証周期Ｐα＝Ｐ０で認証を行うための同期を取る（ステップＳＴ７０２）。【０１０５】
次に、第１の認証周期決定部１１３は、移動検出量Δα及びフラグＥαをリセットする（Δα＝０、Ｅα＝０）（ステップＳＴ７０３）。ここで、「Δα」は、移動通信端末装置１０１の移動検出量、即ち移動通信端末装置１０１の所定時間における移動量を示す。【０１０６】
次に、第１のセンサー部１１１は、移動通信端末装置１０１の移動の有無を検出し、第１の制御部１１２は、第１のセンサー部１１１におけるセンサー出力値に基づいて、移動通信端末装置１０１が移動したか否か、即ち移動通信端末装置１０１が静止しているか否かを判定する（ステップＳＴ７０４）。【０１０７】
移動通信端末装置１０１が静止していると判定した場合に、第１の制御部１１２は、第１のタイミング発生部１１４から入力したタイミング信号に基づいて、認証のタイミングであるか否かを判定する（ステップＳＴ７０５）。【０１０８】
一方、ステップＳＴ７０４において、第１の制御部１１２は、移動通信端末装置１０１が静止していないと判定した場合に、第１のセンサー部１１１から入力したセンサー出力値に基づいて移動検出量Δαを求める。そして、第１の認証周期決定部１１３は、第１の制御部１１２から移動検出量Δαを取得する毎に移動検出量Δαを更新し（ステップＳＴ７０６）、第１の制御部１１２は、第１のタイミング発生部１１４から入力したタイミング信号に基づいて、認証のタイミングであるか否かを判定する（ステップＳＴ７０５）。【０１０９】
ステップＳＴ７０５において、第１の制御部１１２が認証のタイミングであると判定した場合に、第１のシーケンス処理部１１６は、第１の制御部１１２から認証のタイミングの通知を受けて、キーユニット１０２の第２のシーケンス処理部１２５との間で認証処理を行う（ステップＳＴ７０７）。この際に、第１のシーケンス処理部１１６は、第１の制御部１１２で求めた移動検出量Δαを取得し、取得した移動検出量Δαを移動検出情報として認証情報に付加し、第１の無線送受信部１１５は、移動検出情報を付加した認証情報をキーユニット１０２へ送信する。また、第１の無線送受信部１１５は、キーユニット１０２から送信されたキーユニット１０２の移動情報である移動検出量Δβをアンテナ１１７を介して受信する。一方、ステップＳＴ７０５において、第１の制御部１１２が認証のタイミングであると判定しない場合には、ステップＳＴ７０４〜ステップＳＴ７０６の処理を繰り返す。【０１１０】
次に、移動通信端末装置１０１は、通信に成功したか否かを判定する（ステップＳＴ７０８）。【０１１１】
通信に成功しなかった場合には、移動通信端末装置１０１は、ステップＳＴ７０４〜ステップＳＴ７０８の処理を繰り返す。【０１１２】
一方、通信に成功した場合には、第１の認証周期決定部１１３は、第１の制御部１１２から取得した移動検出量Δαと、第１の無線送受信部１１５から取得した移動検出量Δβとが等しいか否かを判定する（Δα＝Δβ）（ステップＳＴ７０９）。【０１１３】
Δα＝Δβでない場合には、第１の認証周期決定部１１３は、認証周期Ｐαをリセットして、認証周期ＰαをＰ０に設定する（Ｐα＝Ｐ０）（ステップＳＴ７１０）。【０１１４】
一方、Δα＝Δβである場合には、第１の認証周期決定部１１３は、静止条件の重み付けを行う（ステップＳＴ７１１）。具体的には、第１の認証周期決定部１１３は、フラグＥαに重み係数Ｗｅを加算してフラグＥαの値を更新する（Ｅα＝Ｅα＋Ｗｅ）。【０１１５】
次に、第１の認証周期決定部１１３は、更新後のフラグＥα（Ｅα＋Ｗｅ）が、閾値Ｔを超えているか否かを判定する（Ｅα＞Ｔ？）（ステップＳＴ７１２）。【０１１６】
更新後のフラグＥαが、閾値Ｔを超えていない場合には、ステップＳＴ７０４〜ステップＳＴ７１２の処理を繰り返す。【０１１７】
一方、更新後のフラグＥαが、閾値Ｔを超えている場合には、第１の認証周期決定部１１３は、認証周期を延長する（ステップＳＴ７１３）。具体的には、第１の認証周期決定部１１３は、認証周期ＰαにΔＰを加算して認証周期Ｐαを更新する（Ｐα＝Ｐα＋ΔＰ）。この際に、第１の認証周期決定部１１３は、更新後の認証周期Ｐαが上限閾値以上の場合には、認証周期Ｐαが上限閾値以上にならないように、認証周期Ｐαを上限閾値に設定する。【０１１８】
そして、ステップＳＴ７１０において認証周期をリセットした後、またはステップＳＴ７１３において認証周期を延長した後に、ステップＳＴ７０３〜ステップＳＴ７１３の処理を繰り返す。【０１１９】
次に、キーユニット１０２における無線認証方法について、図８を用いて説明する。【０１２０】
図８より、キーユニット１０２の図示しない電源供給部は、キーユニット１０２に電源を供給する（電源投入）（ステップＳＴ８０１）。【０１２１】
次に、第２のシーケンス処理部１２５は、移動通信端末装置１０１の第１のシーケンス処理部１１６との間で接続設定等のペアリング処理を行い、認証周期Ｐβ＝Ｐ０で認証を行うための同期を取る（ステップＳＴ８０２）。【０１２２】
次に、第２の認証周期決定部１２２は、移動検出量Δβ及びフラグＥβをリセットする（Δβ＝０、Ｅβ＝０）（ステップＳＴ８０３）。ここで、「Δβ」は、キーユニット１０２の移動検出量、即ちキーユニット１０２の所定時間における移動量を示す。【０１２３】
次に、第２のセンサー部１２０は、キーユニット１０２の移動の有無を検出し、第２の制御部１２１は、第２のセンサー部１２０におけるセンサー出力値に基づいて、キーユニット１０２が移動したか否か、即ちキーユニット１０２が静止しているか否かを判定する（ステップＳＴ８０４）。【０１２４】
キーユニット１０２が静止していると判定した場合に、第２の制御部１２１は、第２のタイミング発生部１２３から入力したタイミング信号に基づいて、認証のタイミングであるか否かを判定する（ステップＳＴ８０５）。【０１２５】
一方、ステップＳＴ８０４において、第２の制御部１２１は、キーユニット１０２が静止していないと判定した場合に、第２のセンサー部１２０から入力したセンサー出力値に基づいて移動検出量Δβを求める。そして、第２の認証周期決定部１２２は、第２の制御部１２１から移動検出量Δβを取得する毎に移動検出量Δβを更新し（ステップＳＴ８０６）、第２の制御部１２１は、第２のタイミング発生部１２３から入力したタイミング信号に基づいて、認証のタイミングであるか否かを判定する（ステップＳＴ８０５）。【０１２６】
ステップＳＴ８０５において、第２の制御部１２１が認証のタイミングであると判定した場合に、第２のシーケンス処理部１２５は、第２の制御部１２１から認証のタイミングの通知を受けて、移動通信端末装置１０１の第１のシーケンス処理部１１６との間で認証処理を行う（ステップＳＴ３０７）。この際に、第２のシーケンス処理部１２５は、第２の制御部１２１で求めた移動検出量Δβを取得し、取得した移動検出量Δβを移動検出情報として認証情報に付加し、第２の無線送受信部１２４は、移動検出情報を付加した認証情報を移動通信端末装置１０１へ送信する。また、第２の無線送受信部１２４は、移動通信端末装置１０１から送信された移動通信端末装置１０１の移動情報である移動検出量Δαをアンテナ１２６を介して受信する。一方、ステップＳＴ８０５において、第２の制御部１２１が認証のタイミングであると判定しない場合には、ステップＳＴ８０４〜ステップＳＴ８０６の処理を繰り返す。【０１２７】
次に、キーユニット１０２は、通信に成功したか否かを判定する（ステップＳＴ８０８）。【０１２８】
通信に成功しなかった場合には、キーユニット１０２は、ステップＳＴ８０４〜ステップＳＴ８０８の処理を繰り返す。【０１２９】
一方、通信に成功した場合には、第２の認証周期決定部１２２は、第２の制御部１２１から取得した移動検出量Δβと、第２の無線送受信部１２４から取得した移動検出量Δαとが等しいか否かを判定する（Δα＝Δβ）（ステップＳＴ８０９）。【０１３０】
Δα＝Δβでない場合には、第２の認証周期決定部１２２は、認証周期Ｐβをリセットして、認証周期ＰβをＰ０に設定する（Ｐβ＝Ｐ０）（ステップＳＴ８１０）。【０１３１】
一方、Δα＝Δβである場合には、第２の認証周期決定部１２２は、静止条件の重み付けを行う（ステップＳＴ８１１）。具体的には、第２の認証周期決定部１２２は、フラグＥβに重み係数Ｗｅを加算してフラグＥβの値を更新する（Ｅβ＝Ｅβ＋Ｗｅ）。【０１３２】
次に、第２の認証周期決定部１２２は、更新後のフラグＥβ（Ｅβ＋Ｗｅ）が、閾値Ｔを超えているか否かを判定する（Ｅβ＞Ｔ？）（ステップＳＴ８１２）。【０１３３】
更新後のフラグＥβが、閾値Ｔを超えていない場合には、ステップＳＴ８０４〜ステップＳＴ８１２の処理を繰り返す。【０１３４】
一方、更新後のフラグＥβが、閾値Ｔを超えている場合には、第２の認証周期決定部１２２は、認証周期を延長する（ステップＳＴ８１３）。具体的には、第２の認証周期決定部１２２は、認証周期ＰβにΔＰを加算して認証周期Ｐβを更新する（Ｐβ＝Ｐβ＋ΔＰ）。この際に、第２の認証周期決定部１２２は、更新後の認証周期Ｐβが上限閾値以上の場合には、認証周期Ｐβが上限閾値以上にならないように、認証周期Ｐβを上限閾値に設定する。【０１３５】
そして、ステップＳＴ８１０において認証周期をリセットした後、またはステップＳＴ８１３において認証周期を延長した後に、ステップＳＴ８０３〜ステップＳＴ８１３の処理を繰り返す。【０１３６】
ここで、第１の認証周期決定部１１３または第２の認証周期決定部１２２は、図７または図８に示すように、Δα＝Δβである場合には、Δα＝Δβでない場合に比べて、認証周期を長くするとしたが、これに限らず、ΔαとΔβとの差（または差の絶対値）が所定の値よりも小さい場合には、ΔαとΔβとの差（または差の絶対値）が所定の値以上の場合に比べて、認証周期を長くするようにしてもよい。【０１３７】
このように、本実施の形態３によれば、認証相手の移動を考慮した認証間隔を決定することにより、認証の応答性の確保と消費電力の低減との両立を図ることができる。また、本実施の形態３によれば、移動通信端末装置及びキーユニットが静止していると判定する毎に静止条件の重み付けを行い、重み付けの都度、重み付け後のフラグと閾値とを比較し、重み付け後のフラグが閾値より大きくなった場合に初めて認証周期を延長するので、誤った判定結果により不用意に認証周期が延長されてしまうことを防ぐことができる。また、本実施の形態３によれば、検出した移動検出量に基づいて認証周期を延長するので、例えば移動通信端末装置とキーユニットが、極めて接近した場所に有るにも関わらず、同じ電車内で移動しているために移動が検出されているような場合でも認証周期を延長することができるので、認証の応答性を確保した状態で、さらに消費電力を低減することができる。【０１３８】
なお、本実施の形態３は、上記実施の形態２に適用することができる。【０１３９】
（実施の形態４）
図９は、本発明の実施の形態４に係る無線認証システム９００を示すブロック図である。本実施の形態４においては、移動通信端末装置９０１とキーユニット９０２とから無線認証システム９００が構成される場合を例に説明する。なお、無線認証システム９００は、移動通信端末装置９０１とキーユニット９０２とから構成される場合に限らず、任意の複数の移動可能な移動通信装置により構成することが可能である。【０１４０】
本実施の形態４に係る移動通信端末装置９０１は、図１に示す実施の形態１に係る移動通信端末装置１０１において、図９に示すように、第１の認証周期決定部１１３の代わりに第１の認証周期決定部９１０を有し、第１の無線送受信部１１５の代わりに第１の無線送受信部９１１を有するとともに、第１のシーケンス処理部１１６の代わりに第１のシーケンス処理部９１２を有する。なお、図９においては、図１と同一構成である部分には同一の符号を付してその説明は省略する。【０１４１】
最初に、移動通信端末装置９０１の構成について説明する。【０１４２】
移動検出手段である第１の制御部１１２は、入力部１１０から入力した信号を処理する。また、第１の制御部１１２は、第１のタイミング発生部１１４から入力したタイミング信号に従って、認証を行うタイミングで、第１のセンサー部１１１から入力したセンサー出力値に基づいて、移動通信端末装置９０１が移動したか否かを判定し、判定結果を第１の認証周期決定部９１０へ出力する。具体的には、第１の制御部１１２は、第１のセンサー部１１１から入力したセンサー出力値が一定時間内に変動しない場合に、移動通信端末装置９０１が静止しているものと判定する。一方、第１の制御部１１２は、第１のセンサー部１１１から入力したセンサー出力値が一定時間内に変動する場合に、移動通信端末装置９０１が移動しているものと判定する。【０１４３】
第１の認証周期決定部９１０は、第１の制御部１１２から入力した判定結果と、第１の無線送受信部１１５から入力したキーユニット９０２の移動の有無の情報である移動検出情報とに基づいて、認証周期を決定する。そして、第１の認証周期決定部１１３は、決定した認証周期をタイミング情報として第１のタイミング発生部１１４へ出力するとともに、決定した認証周期を第１のシーケンス処理部９１２へ出力する。【０１４４】
第１のタイミング発生部１１４は、移動通信端末装置９０１がキーユニット９０２と間欠的に通信を行う場合のタイミングを制御する。また、第１のタイミング発生部１１４は、第１の認証周期決定部９１０から入力したタイミング情報の認証周期で認証を行うためのタイミング信号を生成する。そして、第１のタイミング発生部１１４は、生成したタイミング信号を第１の制御部１１２及び第１の無線送受信部９１１へ出力する。【０１４５】
第１の無線送受信部９１１は、第１のタイミング発生部１１４から入力したタイミング信号に従って、第１のシーケンス処理部９１２から入力した認証情報を含むベースバンド信号により変調した無線信号をアンテナ１１７へ出力する。また、第１の無線送受信部９１１は、アンテナ１１７から入力した無線信号を復調しベースバンド信号を得る。そして、第１の無線送受信部９１１は、ベースバンド信号から認証情報及びキーユニット９０２の移動検出情報を抽出し、抽出した認証情報を第１のシーケンス処理部９１２へ出力するとともに、抽出した移動検出情報を第１の認証周期決定部９１０へ出力する。【０１４６】
認証手段である第１のシーケンス処理部９１２は、キーユニット９０２が移動通信端末装置９０１を認証するための情報である認証情報を第１の無線送受信部９１１へ出力する。この際に、第１のシーケンス処理部９１２は、第１の認証周期決定部９１０から入力した認証周期の情報である認証周期情報を認証情報に付加し、認証周期情報を付加した認証情報を第１の無線送受信部９１１へ出力する。また、第１のシーケンス処理部９１２は、第１の無線送受信部９１１から入力した認証情報に基づいて、キーユニット９０２を認証する。具体的には、第１のシーケンス処理部９１２は、キーユニット９０２の第２のシーケンス処理部９２４が所有するＩＤと予め関連付けされたＩＤを所有し、無線通信により互いが１対であることを把握することで常時認証を行う。【０１４７】
次に、キーユニット９０２の構成について説明する。【０１４８】
第２のセンサー部９２０は、キーユニット９０２が移動したことを検出し、検出結果を第２の制御部９２１へ出力する。第２のセンサー部９２０は、例えば、加速度センサー、ＧＰＳ、ＣＣＤセンサー、液晶の照度制御用光センサーである。【０１４９】
移動検出手段である第２の制御部９２１は、第２のタイミング発生部９２２から入力したタイミング信号に従って、認証を行うタイミングで、第２のセンサー部９２０から入力したセンサー出力値に基づいて、キーユニット９０２の移動の有無の情報である移動検出情報を生成し、生成した移動検出情報を第２のシーケンス処理部９２４へ出力する。具体的には、第２の制御部９２１は、第２のセンサー部９２０から入力したセンサー出力値が一定時間内に変動しない場合に、キーユニット９０２が静止している移動検出情報を生成する。一方、第２の制御部９２１は、第２のセンサー部９２０から入力したセンサー出力値が一定時間内に変動する場合に、キーユニット９０２が移動している移動検出情報を生成する。【０１５０】
第２のタイミング発生部９２２は、キーユニット９０２が移動通信端末装置９０１と間欠的に通信を行う場合のタイミングを制御する。また、第２のタイミング発生部９２２は、第２の無線送受信部９２３から入力した認証周期情報の認証周期で認証を行うためのタイミング信号を生成する。そして、第２のタイミング発生部９２２は、生成したタイミング信号を第２の制御部９２１及び第２の無線送受信部９２３へ出力する。【０１５１】
第２の無線送受信部９２３は、第２のタイミング発生部９２２から入力したタイミング信号に従って、認証を行うタイミングで、第２のシーケンス処理部９２４から入力した認証情報を含むベースバンド信号により変調した無線信号をアンテナ９２５へ出力する。また、第２の無線送受信部９２３は、アンテナ９２５から入力した無線信号を復調しベースバンド信号を得る。そして、第２の無線送受信部９２３は、ベースバンド信号から認証情報及び認証周期情報を抽出し、抽出した認証情報を第２のシーケンス処理部９２４へ出力するとともに、抽出した認証周期情報を第２のタイミング発生部９２２へ出力する。【０１５２】
認証手段である第２のシーケンス処理部９２４は、移動通信端末装置９０１がキーユニット９０２を認証するための情報である認証情報を第２の無線送受信部９２３へ出力する。この際に、第２のシーケンス処理部９２４は、第２の制御部９２１から入力した移動検出情報を認証情報に付加し、移動検出情報を付加した認証情報を第２の無線送受信部９２３へ出力する。また、第２のシーケンス処理部９２４は、第２の無線送受信部９２３から入力した認証情報に基づいて、移動通信端末装置９０１を認証する。具体的には、第２のシーケンス処理部９２４は、移動通信端末装置９０１の第１のシーケンス処理部９１２が所有するＩＤと予め関連付けされたＩＤを所有し、無線通信により互いが１対であることを把握することで常時認証を行う。【０１５３】
アンテナ９２５は、第２の無線送受信部９２３から入力した信号を移動通信端末装置９０１に対して送信するとともに、移動通信端末装置９０１から送信された信号を受信して第２の無線送受信部９２３へ出力する。【０１５４】
次に、無線認証システム１００を用いた無線認証方法について、図１０及び図１１を用いて説明する。図１０及び図１１は、無線認証方法を示すフロー図である。【０１５５】
最初に、キーユニット９０２における無線認証方法について、図１０を用いて説明する。【０１５６】
図１０より、キーユニット９０２の図示しない電源供給部は、キーユニット９０２に電源を供給する（電源投入）（ステップＳＴ１００１）。【０１５７】
次に、第２のシーケンス処理部９２４は、移動通信端末装置９０１の第１のシーケンス処理部９１２との間で接続設定等のペアリング処理を行い、認証周期Ｐａ＝Ｐ０で認証を行うための同期を取る（ステップＳＴ１００２）。【０１５８】
次に、第２の制御部９２１は、フラグＦβをリセットする（Ｆβ＝０）（ステップＳＴ１００３）。【０１５９】
次に、第２のセンサー部９２０は、キーユニット９０２の移動の有無を検出し、第２の制御部９２１は、第２のセンサー部９２０におけるセンサー出力値に基づいて、キーユニット９０２が移動したか否か、即ちキーユニット９０２が静止しているか否かを判定する（ステップＳＴ１００４）。【０１６０】
キーユニット９０２が静止していると判定した場合に、第２の制御部９２１は、第２のタイミング発生部９２２から入力したタイミング信号に基づいて、認証のタイミングであるか否かを判定する（ステップＳＴ１００５）。【０１６１】
一方、ステップＳＴ１００４において、第２の制御部９２１は、キーユニット９０２が静止していないと判定した場合に、キーユニット９０２のフラグＦβを「１」に設定し（Ｆβ＝１）（ステップＳＴ１００６）、第２の制御部９２１は、第２のタイミング発生部９２２から入力したタイミング信号に基づいて、認証のタイミングであるか否かを判定する（ステップＳＴ１００５）。【０１６２】
ステップＳＴ１００５において、第２の制御部９２１が認証のタイミングであると判定した場合に、第２のシーケンス処理部９２４は、第２の制御部９２１から認証のタイミングの通知を受けて、移動通信端末装置９０１の第１のシーケンス処理部９１２との間で認証処理を行う（ステップＳＴ１００７）。この際に、第２のシーケンス処理部９２４は、第２の制御部９２１で設定したフラグＦβを取得し、取得したフラグＦβを移動検出情報として認証情報に付加し、第２の無線送受信部９２３は、移動検出情報を付加した認証情報を移動通信端末装置９０１へ送信する。また、第２の無線送受信部９２３は、移動通信端末装置９０１から送信された、移動通信端末装置９０１で決定した認証周期Ｐの情報である認証周期情報をアンテナ９２５を介して受信する。一方、ステップＳＴ１００５において、第２の制御部９２１が認証のタイミングであると判定しない場合には、ステップＳＴ１００４〜ステップＳＴ１００６の処理を繰り返す。【０１６３】
次に、キーユニット９０２は、通信に成功したか否かを判定する（ステップＳＴ１００８）。【０１６４】
通信に成功しなかった場合には、キーユニット９０２は、ステップＳＴ１００４〜ステップＳＴ１００８の処理を繰り返す。【０１６５】
一方、通信に成功した場合には、キーユニット９０２の第２のタイミング発生部９２２は、キーユニット９０２が受信した認証周期情報の認証周期で認証を行うように、即ち移動通信端末装置９０１の第１の認証周期決定部９１０で決定した認証周期で認証を行うようにタイミングを制御する。【０１６６】
次に、移動通信端末装置９０１における無線認証方法について、図１１を用いて説明する。【０１６７】
図１１より、移動通信端末装置９０１の図示しない電源供給部は、移動通信端末装置９０１に電源を供給する（電源投入）（ステップＳＴ１１０１）。【０１６８】
次に、第１のシーケンス処理部９１２は、キーユニット９０２の第２のシーケンス処理部９２４との間で接続設定等のペアリング処理を行い、認証周期Ｐａ＝Ｐ０で認証を行うための同期を取る（ステップＳＴ１１０２）。【０１６９】
次に、第１の制御部１１２は、フラグＦαをリセットし、第１の認証周期決定部９１０は、フラグＥをリセットするとともに認証周期Ｐを認証周期決定後の認証周期Ｐａに設定する（Ｆα＝０、Ｅ＝０、Ｐ＝Ｐａ）（ステップＳＴ１１０３）。【０１７０】
次に、第１のセンサー部１１１は、移動通信端末装置９０１の移動の有無を検出し、第１の制御部１１２は、第１のセンサー部１１１におけるセンサー出力値に基づいて、移動通信端末装置９０１が移動したか否か、即ち移動通信端末装置９０１が静止しているか否かを判定する（ステップＳＴ１１０４）。【０１７１】
移動通信端末装置９０１が静止していると判定した場合に、第１の制御部１１２は、第１のタイミング発生部１１４から入力したタイミング信号に基づいて、認証のタイミングであるか否かを判定する（ステップＳＴ１１０５）。【０１７２】
一方、ステップＳＴ１１０４において、第１の制御部１１２は、移動通信端末装置９０１が静止していないと判定した場合に、移動通信端末装置９０１のフラグＦαを「１」に設定し（Ｆα＝１）（ステップＳＴ１１０６）、第１の制御部１１２は、第１のタイミング発生部１１４から入力したタイミング信号に基づいて、認証のタイミングであるか否かを判定する（ステップＳＴ１１０５）。【０１７３】
ステップＳＴ１１０５において、第１の制御部１１２が認証のタイミングであると判定した場合に、第１のシーケンス処理部９１２は、第１の制御部１１２から認証のタイミングの通知を受けて、キーユニット９０２の第２のシーケンス処理部９２４との間で認証処理を行う（ステップＳＴ１１０７）。この際に、第１のシーケンス処理部９１２は、第１の認証周期決定部９１０から認証周期Ｐａを取得し、取得した認証周期Ｐａの情報を認証周期情報として認証情報に付加し、第１の無線送受信部９１１は、認証周期情報を付加した認証情報をキーユニット９０２へ送信する。また、第１の無線送受信部９１１は、キーユニット９０２から送信されたキーユニット９０２の移動の有無を示すフラグＦβをアンテナ１１７を介して受信する。一方、ステップＳＴ１１０５において、第１の制御部１１２が認証のタイミングであると判定しない場合には、ステップＳＴ１１０４〜ステップＳＴ１１０６の処理を繰り返す。【０１７４】
次に、移動通信端末装置９０１は、通信に成功したか否かを判定する（ステップＳＴ１１０８）。【０１７５】
通信に成功しなかった場合には、移動通信端末装置９０１は、ステップＳＴ１１０４〜ステップＳＴ１１０８の処理を繰り返す。【０１７６】
一方、通信に成功した場合には、第１の認証周期決定部９１０は、第１の制御部１１２から取得したフラグＦαより、移動通信端末装置９０１が静止しているか否か、即ちＦα＝０であるか否かを判定する（ステップＳＴ１１０９）。【０１７７】
Ｆα＝０でない場合には、第１の認証周期決定部９１０は、認証周期Ｐａをリセットして、認証周期ＰａをＰ０に設定する（Ｐａ＝Ｐ０）（ステップＳＴ１１１０）。【０１７８】
一方、Ｆα＝０である場合には、第１の認証周期決定部９１０は、第１の無線送受信部９１１から取得したフラグＦβより、キーユニット９０２が静止しているか否か、即ちＦβ＝０であるか否かを判定する（ステップＳＴ１１１１）。【０１７９】
Ｆβ＝０でない場合には、第１の認証周期決定部９１０は、認証周期Ｐａをリセットして、認証周期ＰａをＰ０に設定する（Ｐａ＝Ｐ０）（ステップＳＴ１１１０）。【０１８０】
一方、Ｆβ＝０である場合には、第１の認証周期決定部９１０は、静止条件の重み付けを行う（ステップＳＴ１１１２）。具体的には、第１の認証周期決定部９１０は、フラグＥに重み係数Ｗｅを加算してフラグＥの値を更新する（Ｅ＝Ｅ＋Ｗｅ）。【０１８１】
次に、第１の認証周期決定部９１０は、更新後のフラグＥ（Ｅ＋Ｗｅ）が、閾値Ｔを超えているか否かを判定する（Ｅ＞Ｔ？）（ステップＳＴ１１１３）。【０１８２】
更新後のフラグＥが、閾値Ｔを超えていない場合には、ステップＳＴ１１０４〜ステップＳＴ１１１３の処理を繰り返す。【０１８３】
一方、更新後のフラグＥが、閾値Ｔを超えている場合には、第１の認証周期決定部９１０は、認証周期を延長する（ステップＳＴ１１１４）。具体的には、第１の認証周期決定部９１０は、認証周期ＰにΔＰを加算して認証周期Ｐａを更新する（Ｐａ＝Ｐ＋ΔＰ）。この際に、第１の認証周期決定部９１０は、更新後の認証周期Ｐａが上限閾値以上の場合には、認証周期Ｐaが上限閾値以上にならないように、認証周期Ｐａを上限閾値に設定する。【０１８４】
そして、ステップＳＴ１１１０において認証周期をリセットした後、またはステップＳＴ１１１４において認証周期を延長した後に、ステップＳＴ１１０３〜ステップＳＴ１１１４の処理を繰り返す。【０１８５】
このように、本実施の形態４によれば、上記実施の形態１の効果に加えて、移動通信端末装置のみが認証周期を決定するので、キーユニットにおける処理負荷を軽減することができる。【０１８６】
なお、本実施の形態４は、上記実施の形態２または実施の形態３に適用することができる。【０１８７】
上記実施の形態１〜実施の形態４において、第１のセンサー部１１１及び第２のセンサー部１２０、９２０で移動の有無または移動量を検出したが、これに限らず、通話開始等の操作ボタンが操作されたことにより生じる信号の検出等の移動通信端末装置またはキーユニットに設けられた操作ボタンが操作されたことを検出した場合に、移動通信端末装置またはキーユニットが移動したもの、あるいはこれから移動通信端末装置またはキーユニットが移動するものと判定して、認証周期を変化させても良い。また、上記実施の形態１〜実施の形態４において、認証周期の下限値を電源投入時の認証周期Ｐ０にしたが、これに限らず、移動通信端末装置またはキーユニットの移動の有無の検出に応じて、電源投入時の認証周期Ｐ０よりも短くなるようにしても良い。また、上記実施の形態１〜実施の形態４において、加速度センサー等の第１のセンサー部１１１及び第２のセンサー部１２０、９２０で移動の有無または移動量を検出したが、これに限らず、基地局情報またはアクセスポイント情報の変化を検出した際に、移動通信端末装置またはキーユニットが移動したものと判定しても良い。この場合、基地局情報として、セルを識別する情報であるセルＩＤを用いることができ、また、アクセスポイント情報として、アクセスポイント固有の識別情報を用いることができる。さらに、メッシュネットワークのトポロジーの変更またはＰＡＮ（personal area network）のトポロジーの変更を検出した際に、移動通信端末装置またはキーユニットが移動したものと判定しても良い。
【産業上の利用可能性】
【０１８８】
本発明にかかる移動通信装置、無線認証システム及び無線認証方法は、特に無線認証を行うのに好適である。
【図１】
2008081547.tif 000003
【図２】
2008081547.tif 000004
【図３】
2008081547.tif 000005
【図４】
2008081547.tif 000006
【図５】
2008081547.tif 000007
【図６】
2008081547.tif 000008
【図７】
2008081547.tif 000009
【図８】
2008081547.tif 000010
【図９】
2008081547.tif 000011
【図１０】
2008081547.tif 000012
【図１１】
2008081547.tif 000013
【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
移動を検出する移動検出手段と、
通信相手の移動の情報である移動情報を受信する受信手段と、
前記移動検出手段における前記検出の結果及び前記移動情報に基づいて前記通信相手と間欠的に無線で認証を行う周期である認証周期を決定する認証周期決定手段と、
決定した前記認証周期で前記通信相手との間で認証を行う認証手段と、
を具備する移動通信装置。
【請求項２】
前記認証周期決定手段は、前記移動検出手段で移動を検出せずかつ前記通信相手が移動しないことを示す前記移動情報を受信した場合に、前記移動検出手段で移動を検出した場合または前記通信相手が移動したことを示す前記移動情報を受信した場合に比べて前記認証周期を長くする請求項１記載の移動通信装置。
【請求項３】
前記認証周期決定手段は、移動していない前記検出の結果及び前記通信相手が移動していない前記移動情報を取得する毎に前記認証周期決定用のパラメータ値を更新するとともに、更新後の前記パラメータ値が閾値を超えた場合に、前記パラメータ値が閾値以下の場合に比べて前記認証周期を長くする請求項１記載の移動通信装置。
【請求項４】
移動を行わない時間帯を任意で設定可能な時間帯設定手段を具備し、
前記認証周期決定手段は、設定した前記時間帯と前記時間帯以外の時間帯とで異なる前記閾値を設定する請求項３記載の移動通信装置。
【請求項５】
前記認証周期決定手段は、移動の有無を示す前記検出の結果及び前記通信相手の移動の有無を示す前記移動情報に基づいて前記認証周期を決定する請求項１記載の移動通信装置。
【請求項６】
前記認証周期決定手段は、所定時間における移動量を示す前記検出の結果及び前記通信相手の所定時間における移動量を示す前記移動情報に基づいて前記認証周期を決定する請求項１記載の移動通信装置。
【請求項７】
前記認証周期決定手段は、前記検出の結果における移動量と前記移動情報の移動量とが等しい場合には、前記検出の結果における移動量と前記移動情報の移動量とが異なる場合に比べて、認証周期を長くする請求項６記載の移動通信装置。
【請求項８】
前記認証周期決定手段は、前記検出の結果における移動量と前記移動情報の移動量との差が所定の値よりも小さい場合には、前記検出の結果における移動量と前記移動情報の移動量との差が所定の値以上である場合に比べて、認証周期を長くする請求項６記載の移動通信装置。
【請求項９】
前記認証周期決定手段で決定した前記認証周期の情報を前記通信相手に送信する送信手段を具備する請求項１記載の移動通信装置。
【請求項１０】
第１移動通信装置と第２移動通信装置との間で相互に無線で認証を行う無線認証システムであって、
前記第１移動通信装置は、移動を検出するとともに、前記検出の結果と前記第２移動通信装置の移動の有無の情報である移動情報とに基づいて決定した認証周期で前記第２移動通信装置との間で認証を行い、
前記第２移動通信装置は、移動を検出するとともに、前記検出の結果と前記第１移動通信装置の移動の有無の情報である移動情報とに基づいて決定した認証周期で前記第１移動
通信装置との間で認証を行う無線認証システム。
【請求項１１】
第１移動通信装置が移動を検出するステップと、
第２移動通信装置の移動の情報である移動情報を前記第１移動通信装置が受信するステップと、
前記第１移動通信装置が、前記検出の結果及び前記移動情報に基づいて前記第２移動通信装置と間欠的に無線で認証を行う周期である認証周期を決定するステップと、
前記第１移動通信装置と前記第２移動通信装置との間で、決定した前記認証周期で認証を行うステップと、
を具備する無線認証方法。
【手続補正２】
【補正対象書類名】明細書
【補正対象項目名】全文
【補正方法】変更
【補正の内容】
【発明の詳細な説明】
【技術分野】
【０００１】
本発明は、特に無線認証を行う移動通信装置、無線認証システム及び無線認証方法に関する。
【背景技術】
【０００２】
従来、移動局が間欠受信を行う移動体通信システムにおいて、移動局の低消費電力化を図るために、移動局の間欠受信間隔を変化させるものが知られている（例えば、特許文献１）。
【０００３】
特許文献１によれば、移動局は、着呼頻度または電波状況等に応じて、間欠受信間隔を変化させる。このような間欠受信間隔を変化させることは、無線認証技術にも適用することができる。
【特許文献１】特開２０００−２６１３６４号公報
【発明の開示】
【発明が解決しようとする課題】
【０００４】
しかしながら、特許文献１においては、移動局と通信を行う基地局は移動しないので、移動局は、基地局の移動を考慮することなく間欠受信間隔を設定している。従って、特許文献１に記載の移動体通信システムを、互いに移動する通信装置間の無線認証システムに適用する場合には、一方の通信装置については移動を考慮するが、他方の通信装置については移動を考慮することなく認証間隔を設定することとなる。この場合、例えば移動を考慮する通信装置が静止している場合で且つ移動を考慮しない通信装置が移動している場合には、それぞれの通信装置では移動が検出されないため、それぞれの通信装置は、互いに静止しているものとして認証間隔を延長する。しかし、通信装置が移動している場合は認証間隔を短縮しないと認証における所望の応答性を確保することができないという問題がある。
【０００５】
本発明の目的は、認証相手の移動を考慮した認証間隔を設定することにより、認証の応答性の確保と消費電力の低減との両立を図ることができる移動通信装置、無線認証システム及び無線認証方法を提供することである。
【課題を解決するための手段】
【０００６】
本発明の移動通信装置は、移動を検出する移動検出手段と、通信相手の移動の情報である移動情報を受信する受信手段と、前記移動検出手段における前記検出の結果及び前記移動情報に基づいて前記通信相手と間欠的に無線で認証を行う周期である認証周期を決定する認証周期決定手段と、決定した前記認証周期で前記通信相手と認証を行う認証手段と、を具備する構成を採る。
【０００７】
本発明の無線認証システムは、第１移動通信装置と第２移動通信装置との間で相互に無線で認証を行う無線認証システムであって、前記第１移動通信装置は、移動を検出するとともに、前記検出の結果と前記第２移動通信装置の移動の有無の情報である移動情報とに基づいて決定した認証周期で前記第２移動通信装置との間で認証を行い、前記第２移動通信装置は、移動を検出するとともに、前記検出の結果と前記第１移動通信装置の移動の有無の情報である移動情報とに基づいて決定した認証周期で前記第１移動通信装置との間で認証を行う構成を採る。
【０００８】
本発明の無線認証方法は、第１移動通信装置が移動を検出するステップと、第２移動通
信装置の移動の情報である移動情報を前記第１移動通信装置が受信するステップと、前記第１移動通信装置が、前記検出の結果及び前記移動情報に基づいて前記第２移動通信装置と間欠的に無線で認証を行う周期である認証周期を決定するステップと、前記第１移動通信装置と前記第２移動通信装置との間で、決定した前記認証周期で認証を行うステップと、を具備するようにした。
【発明の効果】
【０００９】
本発明によれば、認証相手の移動を考慮した認証間隔を決定することにより、認証の応答性の確保と消費電力の低減との両立を図ることができる。
【発明を実施するための最良の形態】
【００１０】
以下、本発明の実施の形態について、図面を参照して詳細に説明する。本発明に係る無線認証システムは、互いに移動可能な複数の移動通信装置から構成される。
【００１１】
（実施の形態１）
図１は、本発明の実施の形態１に係る無線認証システム１００を示すブロック図である。本実施の形態１においては、移動通信端末装置１０１とキーユニット１０２とから無線認証システム１００が構成される場合を例に説明する。なお、無線認証システム１００は、移動通信端末装置１０１とキーユニット１０２とから構成される場合に限らず、任意の複数の移動可能な移動通信装置により構成することが可能である。
【００１２】
最初に、移動通信端末装置１０１の構成について説明する。
【００１３】
入力部１１０は、通話開始信号または通話終了信号等の外部からの操作に応じた信号を第１の制御部１１２へ出力する。
【００１４】
移動検出手段である第１のセンサー部１１１は、移動通信端末装置１０１の移動の有無を検出し、検出結果をセンサー出力値として第１の制御部１１２へ出力する。第１のセンサー部１１１は、例えば、加速度センサー、振動センサー、ジャイロセンサー、ＧＰＳ（Global Positioning System）等のＳＰＳ（Satellite Positioning System）、ＣＣＤ（Charge Coupled Device）センサー、液晶の照度制御用光センサー、移動通信端末装置１０１が折り畳み式の筐体を有する場合の筐体が折り畳んだ状態から開放状態になったことを検出する検出センサーである。
【００１５】
移動検出手段である第１の制御部１１２は、入力部１１０から入力した信号を処理する。また、第１の制御部１１２は、第１のタイミング発生部１１４から入力したタイミング信号に従って、認証を行うタイミングで、第１のセンサー部１１１から入力したセンサー
出力値に基づいて、移動通信端末装置１０１の移動の有無の情報である移動検出情報を生成し、生成した移動検出情報を第１のシーケンス処理部１１６へ出力する。また、第１の制御部１１２は、第１のタイミング発生部１１４から入力したタイミング信号に従って、認証を行うタイミングで、第１のセンサー部１１１から入力したセンサー出力値に基づいて、移動通信端末装置１０１が移動したか否かを判定し、判定結果を移動情報として第１の認証周期決定部１１３へ出力する。具体的には、第１の制御部１１２は、第１のセンサー部１１１から入力したセンサー出力値が一定時間内において移動を示していない場合に、移動通信端末装置１０１が静止しているものと判定するとともに移動通信端末装置１０１の静止を示す移動検出情報を生成する。一方、第１の制御部１１２は、第１のセンサー部１１１から入力したセンサー出力値が一定時間内における移動を示した場合に、移動通信端末装置１０１が移動しているものと判定するとともに移動通信端末装置１０１の移動を示す移動検出情報を生成する。
【００１６】
例えば、第１の制御部１１２は、加速度センサー、振動センサー、ジャイロセンサーなどの第１のセンサー部１１１のセンサー出力値が予め定めた所定値未満の場合には、移動を示していない、すなわち、静止していると判定し、センサー出力値が所定値以上の場合は、移動していると判定する。これらのセンサー出力値は、ベクトル量であってもスカラー量であってもよい。また、例えば、第１の制御部１１２は、ＧＰＳ等のＳＰＳにより検出した位置のセンサー出力値の一定時間以内の変化が予め定めた所定値未満の場合には、移動を示していない、すなわち、静止していると判定し、センサー出力値の一定時間以内の変化が予め定めた所定値以上の場合は、移動していると判定する。これらのセンサーの出力値は、ベクトル量であってもスカラー量であってもよい。また、例えば、第１の制御部１１２は、ＣＣＤ（Charge Coupled Devices）センサー、液晶の照度制御用光センサーなどのセンサー出力値の一定時間以内の変化が予め定めた所定値未満の場合には、移動を示していない、すなわち、静止していると判定し、センサー出力値の一定時間以内の変化が予め定めた所定値以上の場合は、移動していると判定する。また、これらのセンサー出力値が示す量を便宜上、移動検出量または移動量と呼ぶことにする。
【００１７】
また、例えば、第１の制御部１１２は、移動通信端末装置１０１が折り畳み式の筐体を有する場合の筐体が折り畳んだ状態から開放状態になったことを第１のセンサー部１１１が検出しない場合に、移動を示していない、すなわち、静止していると判定し、折り畳んだ状態から開放状態になったことを第１のセンサー部１１１が検出した場合は、移動していると判定する。
【００１８】
第１の認証周期決定部１１３は、第１の制御部１１２から入力した移動通信端末装置１０１の移動の有無の情報である移動情報と、第１の無線送受信部１１５から入力したキーユニット１０２の移動の有無の情報である移動情報とに基づいて、認証周期を決定する。そして、第１の認証周期決定部１１３は、決定した認証周期をタイミング情報として第１のタイミング発生部１１４へ出力する。なお、認証周期の決定の方法については、後述する。
【００１９】
第１のタイミング発生部１１４は、移動通信端末装置１０１がキーユニット１０２と間欠的に通信を行う場合のタイミングを制御する。また、第１のタイミング発生部１１４は、第１の認証周期決定部１１３から入力したタイミング情報の認証周期で認証を行うためのタイミング信号を生成する。そして、第１のタイミング発生部１１４は、生成したタイミング信号を第１の制御部１１２及び第１の無線送受信部１１５へ出力する。
【００２０】
第１の無線送受信部１１５は、第１のタイミング発生部１１４から入力したタイミング信号に従って、認証を行うタイミングで、第１のシーケンス処理部１１６から入力した認証情報を含むベースバンド信号により変調した無線信号をアンテナ１１７へ出力する。ま
た、第１の無線送受信部１１５は、アンテナ１１７から入力した無線信号を復調しベースバンド信号を得る。そして、第１の無線送受信部１１５は、ベースバンド信号から認証情報及びキーユニット１０２の移動検出情報を抽出し、抽出した認証情報を第１のシーケンス処理部１１６へ出力するとともに、抽出した移動検出情報を第１の認証周期決定部１１３へ出力する。
【００２１】
認証手段である第１のシーケンス処理部１１６は、キーユニット１０２が移動通信端末装置１０１を認証するための情報である認証情報を第１の無線送受信部１１５へ出力する。この際に、第１のシーケンス処理部１１６は、第１の制御部１１２から入力した移動検出情報を認証情報に付加し、移動検出情報を付加した認証情報を第１の無線送受信部１１５へ出力する。また、第１のシーケンス処理部１１６は、第１の無線送受信部１１５から入力した認証情報に基づいて、キーユニット１０２を認証する。具体的には、第１のシーケンス処理部１１６は、キーユニット１０２の第２のシーケンス処理部１２５が所有するＩＤと予め関連付けされたＩＤを所有し、無線通信により互いが１対であることを把握することで常時認証を行う。
【００２２】
アンテナ１１７は、第１の無線送受信部１１５から入力した信号をキーユニット１０２に対して送信するとともに、キーユニット１０２から送信された信号を受信して第１の無線送受信部１１５へ出力する。
【００２３】
次に、キーユニット１０２の構成について説明する。ここで、キーユニット１０２とは、置き忘れや盗難により移動通信端末装置１０１が所有者又は使用者の手元から離れた場合に、移動通信端末装置１０１を使用不能にするとともに、移動通信端末装置１０１が一定距離以上キーユニット１０２から離れたことを警告する移動通信装置である。
【００２４】
移動検出手段である第２のセンサー部１２０は、キーユニット１０２の移動の有無を検出し、検出結果をセンサー出力値として第２の制御部１２１へ出力する。第２のセンサー部１２０は、例えば、加速度センサー、振動センサー、ジャイロセンサー、ＧＰＳ、ＣＣＤセンサー、液晶の照度制御用光センサーである。
【００２５】
移動検出手段である第２の制御部１２１は、第２のタイミング発生部１２３から入力したタイミング信号に従って、認証を行うタイミングで、第２のセンサー部１２０から入力したセンサー出力値に基づいて、キーユニット１０２の移動の有無の情報である移動検出情報を生成し、生成した移動検出情報を第２のシーケンス処理部１２５へ出力する。また、第２の制御部１２１は、第２のタイミング発生部１２３から入力したタイミング信号に従って、認証を行うタイミングで、第２のセンサー部１２０から入力したセンサー出力値に基づいて、キーユニット１０２が移動したか否かを判定し、判定結果を第２の認証周期決定部１２２へ出力する。具体的には、第２の制御部１２１は、第２のセンサー部１２０から入力したセンサー出力値が一定時間内に変動しない場合に、キーユニット１０２が静止しているものと判定するとともにキーユニット１０２が静止している移動検出情報を生成する。一方、第２の制御部１２１は、第２のセンサー部１２０から入力したセンサー出力値が一定時間内に変動する場合に、キーユニット１０２が移動しているものと判定するとともにキーユニット１０２が移動している移動検出情報を生成する。
【００２６】
第２の認証周期決定部１２２は、第２の制御部１２１から入力した判定結果と、第２の無線送受信部１２４から入力した移動通信端末装置１０１の移動の有無の情報である移動情報とに基づいて、認証周期を決定する。そして、第２の認証周期決定部１２２は、決定した認証周期をタイミング情報として第２のタイミング発生部１２３へ出力する。なお、認証周期の決定の方法については、後述する。
【００２７】
第２のタイミング発生部１２３は、キーユニット１０２が移動通信端末装置１０１と間欠的に通信を行う場合のタイミングを制御する。また、第２のタイミング発生部１２３は、第２の認証周期決定部１２２から入力したタイミング情報の認証周期で認証を行うためのタイミング信号を生成する。そして、第２のタイミング発生部１２３は、生成したタイミング信号を第２の制御部１２１及び第２の無線送受信部１２４へ出力する。
【００２８】
第２の無線送受信部１２４は、第２のタイミング発生部１２３から入力したタイミング信号に従って、認証を行うタイミングで、第２のシーケンス処理部１２５から入力した認証情報を含むベースバンド信号により変調した無線信号をアンテナ１２６へ出力する。また、第２の無線送受信部１２４は、アンテナ１２６から入力した無線信号を復調しベースバンド信号を得る。そして、第２の無線送受信部１２４は、ベースバンド信号から認証情報及び移動通信端末装置１０１の移動検出情報を抽出し、抽出した認証情報を第２のシーケンス処理部１２５へ出力するとともに、抽出した移動検出情報を第２の認証周期決定部１２２へ出力する。
【００２９】
認証手段である第２のシーケンス処理部１２５は、移動通信端末装置１０１がキーユニット１０２を認証するための情報である認証情報を第２の無線送受信部１２４へ出力する。この際に、第２のシーケンス処理部１２５は、第２の制御部１２１から入力した移動検出情報を認証情報に付加し、移動検出情報を付加した認証情報を第２の無線送受信部１２４へ出力する。また、第２のシーケンス処理部１２５は、第２の無線送受信部１２４から入力した認証情報に基づいて、移動通信端末装置１０１を認証する。具体的には、第２のシーケンス処理部１２５は、移動通信端末装置１０１の第１のシーケンス処理部１１６が所有するＩＤと予め関連付けされたＩＤを所有し、無線通信により互いが１対であることを把握することで常時認証を行う。
【００３０】
アンテナ１２６は、第２の無線送受信部１２４から入力した信号を移動通信端末装置１０１に対して送信するとともに、移動通信端末装置１０１から送信された信号を受信して第２の無線送受信部１２４へ出力する。
【００３１】
次に、無線認証システム１００を用いた無線認証方法について、図２及び図３を用いて説明する。図２及び図３は、無線認証方法を示すフロー図である。
【００３２】
最初に、移動通信端末装置１０１における無線認証方法について、図２を用いて説明する。図２より、移動通信端末装置１０１の図示しない電源供給部は、移動通信端末装置１０１に電源を供給する（電源投入）（ステップＳＴ２０１）。
【００３３】
次に、第１のシーケンス処理部１１６は、キーユニット１０２の第２のシーケンス処理部１２５との間で接続設定等のペアリング処理を行い、認証周期Ｐα＝Ｐ０で認証を行うための同期を取る（ステップＳＴ２０２）。
【００３４】
次に、第１の制御部１１２は、フラグＦαをリセットするとともに、第１の認証周期決定部１１３は、フラグＥα（認証周期決定用のパラメータ値）をリセットする（Ｆα＝０、Ｅα＝０）（ステップＳＴ２０３）。ここで、「α」は、移動通信端末装置１０１で設定されるフラグであることを示し、「Ｆ」は、移動通信端末装置１０１またはキーユニット１０２の何れか一方のみの移動の有無を示すフラグであることを示すとともに、「Ｅ」は、移動通信端末装置１０１とキーユニット１０２の双方の移動の有無を考慮して設定されるフラグであることを示す。
【００３５】
次に、第１のセンサー部１１１は、移動通信端末装置１０１の移動の有無を検出し、第１の制御部１１２は、第１のセンサー部１１１のセンサー出力値に基づいて、移動通信端
末装置１０１が移動したか否か、即ち移動通信端末装置１０１が静止しているか否かを判定する（ステップＳＴ２０４）。
【００３６】
移動通信端末装置１０１が静止していると判定した場合に、第１の制御部１１２は、第１のタイミング発生部１１４から入力したタイミング信号に基づいて、認証のタイミングであるか否かを判定する（ステップＳＴ２０５）。
【００３７】
一方、ステップＳＴ２０４において、第１の制御部１１２は、移動通信端末装置１０１が静止していないと判定した場合に、移動通信端末装置１０１のフラグＦαを「１」に設定し（Ｆα＝１）（ステップＳＴ２０６）、第１の制御部１１２は、第１のタイミング発生部１１４から入力したタイミング信号に基づいて、認証のタイミングであるか否かを判定する（ステップＳＴ２０５）。
【００３８】
ここで、例えば、第１のセンサー部１１１が加速度センサーである場合には、第１の制御部１１２は、第１のセンサー部１１１が所定の値以上の加速度を検出した場合に移動通信端末装置１０１は移動したものと判定する。また、第１のセンサー部１１１がＧＰＳである場合には、第１の制御部１１２は、第１のセンサー部１１１が緯度及び経度の変化を検出した場合に移動通信端末装置１０１は移動したものと判定する。また、第１のセンサー部１１１がカメラのＣＣＤセンサーである場合には、第１の制御部１１２は、ＣＣＤセンサーで検出した輝度または色度の変化を検出した場合に移動通信端末装置１０１は移動したものと判定する。また、第１のセンサー部１１１が液晶の照度制御用光センサーである場合には、第１の制御部１１２は、第１のセンサー部１１１が制御する液晶の照度が所定の値以上変化する場合に移動通信端末装置１０１は移動したものと判定する。また、第１のセンサー部１１１が筐体が折り畳んだ状態から開放状態になったことを検出する検出センサーである場合には、第１の制御部１１２は、第１のセンサー部１１１が筐体が折り畳んだ状態から開放状態になったことを検出した場合に移動通信端末装置１０１は移動したものと判定する。
【００３９】
ステップＳＴ２０５において、第１の制御部１１２が認証のタイミングであると判定した場合に、第１のシーケンス処理部１１６は、第１の制御部１１２からの認証のタイミングの通知を受けて、キーユニット１０２の第２のシーケンス処理部１２５との間で認証処理を行う（ステップＳＴ２０７）。この際に、第１のシーケンス処理部１１６は、第１の制御部１１２で設定したフラグＦαを取得し、取得したフラグＦαを移動検出情報として認証情報に付加し、第１の無線送受信部１１５は、移動検出情報を付加した認証情報をキーユニット１０２へ送信する。また、第１の無線送受信部１１５は、キーユニット１０２から送信されたキーユニット１０２の移動の有無を示す移動検出情報であるフラグＦβをアンテナ１１７を介して受信する。ここで、「β」は、キーユニット１０２で設定されるフラグであることを示す。一方、ステップＳＴ２０５において、第１の制御部１１２が認証のタイミングでないと判定した場合には、ステップＳＴ２０４〜ステップＳＴ２０６の処理を繰り返す。
【００４０】
次に、移動通信端末装置１０１は、通信に成功したか否かを判定する（ステップＳＴ２０８）。
【００４１】
通信に成功しなかった場合には、移動通信端末装置１０１は、ステップＳＴ２０４〜ステップＳＴ２０８の処理を繰り返す。
【００４２】
一方、通信に成功した場合には、第１の認証周期決定部１１３は、第１の制御部１１２から取得したフラグＦαより、移動通信端末装置１０１が静止しているか否か、即ちＦα＝０であるか否かを判定する（ステップＳＴ２０９）。
【００４３】
Ｆα＝０でない場合には、第１の認証周期決定部１１３は、認証周期Ｐαをリセットして、認証周期ＰαをＰ０に設定する（Ｐα＝Ｐ０）（ステップＳＴ２１０）。
【００４４】
一方、Ｆα＝０である場合には、第１の認証周期決定部１１３は、第１の無線送受信部１１５から取得したフラグＦβより、キーユニット１０２が静止しているか否か、即ちＦβ＝０であるか否かを判定する（ステップＳＴ２１１）。
【００４５】
Ｅβ＝０でない場合には、第１の認証周期決定部１１３は、認証周期Ｐαをリセットして、認証周期ＰαをＰ０に設定する（Ｐα＝Ｐ０）（ステップＳＴ２１０）。
【００４６】
一方、Ｅβ＝０である場合には、第１の認証周期決定部１１３は、静止条件の重み付けを行う（ステップＳＴ２１２）。具体的には、第１の認証周期決定部１１３は、フラグＥαに重み係数Ｗｅ（Ｗｅ＞０）を加算してフラグＥαの値を更新する（Ｅα＝Ｅα＋Ｗｅ）。
【００４７】
次に、第１の認証周期決定部１１３は、更新後のフラグＥα（Ｅα＋Ｗｅ）が、閾値Ｔを超えているか否かを判定する（Ｅα＞Ｔ？）（ステップＳＴ２１３）。
【００４８】
更新後のフラグＥαが、閾値Ｔを超えていない場合には、ステップＳＴ２０４〜ステップＳＴ２１３の処理を繰り返す。
【００４９】
一方、更新後のフラグＥαが、閾値Ｔを超えている場合には、第１の認証周期決定部１１３は、認証周期を延長する（ステップＳＴ２１４）。具体的には、第１の認証周期決定部１１３は、認証周期ＰαにΔＰ（Ｐ＞０）を加算して認証周期Ｐαを更新する（Ｐα＝Ｐα＋ΔＰ）。この際に、第１の認証周期決定部１１３は、更新後の認証周期Ｐαが上限閾値以上の場合には、認証周期Ｐαが上限閾値以上にならないように、認証周期Ｐαを上限閾値に設定する。
【００５０】
そして、ステップＳＴ２１０において認証周期をリセットした後、またはステップＳＴ２１４において認証周期を延長した後に、ステップＳＴ２０３〜ステップＳＴ２１４の処理を繰り返す。移動通信端末装置１０１は、１回の認証毎にステップＳＴ２０１〜ステップＳＴ２１４の処理を実行する。
【００５１】
次に、キーユニット１０２における無線認証方法について、図３を用いて説明する。
図３より、キーユニット１０２の図示しない電源供給部は、キーユニット１０２に電源を供給する（電源投入）（ステップＳＴ３０１）。
【００５２】
次に、第２のシーケンス処理部１２５は、移動通信端末装置１０１の第１のシーケンス処理部１１６との間で接続設定等のペアリング処理を行い、認証周期Ｐβ＝Ｐ０で認証を行うための同期を取る（ステップＳＴ３０２）。
【００５３】
次に、第２の制御部１２１は、フラグＦβをリセットするとともに、第２の認証周期決定部１２２は、フラグＥβ（認証周期決定用のパラメータ値）をリセットする（Ｆβ＝０、Ｅβ＝０）（ステップＳＴ３０３）。
【００５４】
次に、第２のセンサー部１２０は、キーユニット１０２の移動の有無を検出し、第２の制御部１２１は、第２のセンサー部１２０におけるセンサー出力値に基づいて、キーユニット１０２が移動したか否か、即ちキーユニット１０２が静止しているか否かを判定する（ステップＳＴ３０４）。
【００５５】
キーユニット１０２が静止していると判定した場合に、第２の制御部１２１は、第２のタイミング発生部１２３から入力したタイミング信号に基づいて、認証のタイミングであるか否かを判定する（ステップＳＴ３０５）。
【００５６】
一方、ステップＳＴ３０４において、第２の制御部１２１は、キーユニット１０２が静止していないと判定した場合に、キーユニット１０２のフラグＦβを「１」に設定し（Ｆβ＝１）（ステップＳＴ３０６）、第２の制御部１２１は、第２のタイミング発生部１２３から入力したタイミング信号に基づいて、認証のタイミングであるか否かを判定する（ステップＳＴ３０５）。
【００５７】
ステップＳＴ３０５において、第２の制御部１２１が認証のタイミングであると判定した場合に、第２のシーケンス処理部１２５は、第２の制御部１２１から認証のタイミングの通知を受けて、移動通信端末装置１０１の第１のシーケンス処理部１１６との間で認証処理を行う（ステップＳＴ３０７）。この際に、第２のシーケンス処理部１２５は、第２の制御部１２１で設定したフラグＦβを取得し、取得したフラグＦβを移動検出情報として認証情報に付加し、第２の無線送受信部１２４は、移動検出情報を付加した認証情報を移動通信端末装置１０１へ送信する。また、第２の無線送受信部１２４は、移動通信端末装置１０１から送信された移動通信端末装置１０１の移動の有無を示すフラグＦαをアンテナ１２６を介して受信する。一方、ステップＳＴ３０５において、第２の制御部１２１が認証のタイミングでないと判定した場合には、ステップＳＴ３０４〜ステップＳＴ３０６の処理を繰り返す。
【００５８】
次に、キーユニット１０２は、通信に成功したか否かを判定する（ステップＳＴ３０８）。
【００５９】
通信に成功しなかった場合には、キーユニット１０２は、ステップＳＴ３０４〜ステップＳＴ３０８の処理を繰り返す。
【００６０】
一方、通信に成功した場合には、第２の認証周期決定部１２２は、第２の制御部１２１から取得したフラグＦβより、キーユニット１０２が静止しているか否か、即ちＦβ＝０であるか否かを判定する（ステップＳＴ３０９）。
【００６１】
Ｆβ＝０でない場合には、第２の認証周期決定部１２２は、認証周期Ｐβをリセットして、認証周期ＰβをＰ０に設定する（Ｐβ＝Ｐ０）（ステップＳＴ３１０）。
【００６２】
一方、Ｆβ＝０である場合には、第２の認証周期決定部１２２は、第２の無線送受信部１２４から取得したフラグＦαより、移動通信端末装置１０１が静止しているか否か、即ちＦα＝０であるか否かを判定する（ステップＳＴ３１１）。
【００６３】
Ｆα＝０でない場合には、第２の認証周期決定部１２２は、認証周期Ｐβをリセットして、認証周期ＰβをＰ０に設定する（Ｐβ＝Ｐ０）（ステップＳＴ３１０）。
【００６４】
一方、Ｆα＝０である場合には、第２の認証周期決定部１２２は、静止条件の重み付けを行う（ステップＳＴ３１２）。具体的には、第２の認証周期決定部１２２は、フラグＥβに重み係数Ｗｅを加算してフラグＥβの値を更新する（Ｅβ＝Ｅβ＋Ｗｅ）。
【００６５】
次に、第２の認証周期決定部１２２は、更新後のフラグＥβ（Ｅβ＋Ｗｅ）が、閾値Ｔを超えているか否かを判定する（Ｅβ＞Ｔ？）（ステップＳＴ３１３）。
【００６６】
更新後のフラグＥβが、閾値Ｔを超えていない場合には、ステップＳＴ３０４〜ステップＳＴ３１３の処理を繰り返す。
【００６７】
一方、更新後のフラグＥβが、閾値Ｔを超えている場合には、第２の認証周期決定部１２２は、認証周期を延長する（ステップＳＴ３１４）。具体的には、第２の認証周期決定部１２２は、認証周期ＰβにΔＰを加算して認証周期Ｐβを更新する（Ｐβ＝Ｐβ＋ΔＰ）。この際に、第２の認証周期決定部１２２は、更新後の認証周期Ｐβが上限閾値以上の場合には、認証周期Ｐβが上限閾値以上にならないように、認証周期Ｐβを上限閾値に設定する。
【００６８】
そして、ステップＳＴ３１０において認証周期をリセットした後、またはステップＳＴ３１４において認証周期を延長した後に、ステップＳＴ３０３〜ステップＳＴ３１４の処理を繰り返す。キーユニット１０２は、１回の認証毎にステップＳＴ３０１〜ステップＳＴ３１４の処理を実行する。
【００６９】
このように、本実施の形態１によれば、認証相手の移動を考慮した認証間隔を決定することにより、認証の応答性の確保と消費電力の低減との両立を図ることができる。また、本実施の形態１によれば、移動通信端末装置及びキーユニットが静止していると判定する毎に静止条件の重み付けを行い、重み付けの都度、重み付け後のフラグと閾値とを比較し、重み付け後のフラグが閾値より大きくなった場合に初めて認証周期を延長するので、誤った判定結果により不用意に認証周期が延長されてしまうことを防ぐことができる。
【００７０】
（実施の形態２）
図４は、本発明の実施の形態２に係る無線認証システム４００の構成を示す図である。本実施の形態２においては、移動通信端末装置４０１とキーユニット４０２とから無線認証システム４００が構成される場合を例に説明する。なお、無線認証システム４００は、移動通信端末装置４０１とキーユニット４０２とから構成される場合に限らず、任意の複数の移動可能な移動通信装置により構成することが可能である。
【００７１】
本実施の形態２に係る移動通信端末装置４０１は、図１に示す実施の形態１に係る移動通信端末装置１０１において、図４に示すように、時間計測部４１０及び閾値設定部４１１を追加し、第１の認証周期決定部１１３に代えて第１の認証周期決定部４１１を有する。また、本実施の形態２に係るキーユニット４０２は、図１に示す実施の形態１に係るキーユニット１０２において、図４に示すように、時間計測部４２０、入力部４２１及び閾値設定部４２２を追加し、第２の認証周期決定部１２２に代えて第２の認証周期決定部４２２を有する。なお、図４においては、図１と同一構成である部分には同一の符号を付してその説明は省略する。
【００７２】
最初に、移動通信端末装置４０１の構成について説明する。
【００７３】
時間帯設定手段である入力部１１０は、通話開始信号または通話終了信号等の外部からの操作に応じた信号を第１の制御部１１２へ出力する。また、入力部１１０は、外部からの操作により任意の時間帯及び各時間帯における閾値を設定することが可能であり、設定した時間帯及び閾値を第１の認証周期決定部４１１へ出力する。例えば、入力部１１０は、移動通信端末装置４０１の移動が少ないと考えられる深夜の時間帯の閾値を、深夜以外の時間帯の閾値よりも小さい値に設定する。なお、入力部１１０は、あらかじめ設定した複数のしきい値を、設定した時間帯に応じて選択するような入力形態であっても良い。
【００７４】
移動検出手段である第１の制御部１１２は、入力部１１０から入力した信号を処理する。また、第１の制御部１１２は、第１のタイミング発生部１１４から入力したタイミング
信号に従って、認証を行うタイミングで、第１のセンサー部１１１から入力したセンサー出力値に基づいて、移動通信端末装置４０１の移動の有無の情報である移動検出情報を生成し、生成した移動検出情報を第１のシーケンス処理部１１６へ出力する。また、第１の制御部１１２は、第１のタイミング発生部１１４から入力したタイミング信号に従って、認証を行うタイミングで、第１のセンサー部１１１から入力したセンサー出力値に基づいて、移動通信端末装置４０１が移動したか否かを判定し、判定結果を第１の認証周期決定部４１１へ出力する。具体的には、第１の制御部１１２は、第１のセンサー部１１１から入力したセンサー出力値が一定時間内に変動しない場合に、移動通信端末装置４０１が静止しているものと判定するとともに移動通信端末装置４０１が静止している移動検出情報を生成する。一方、第１の制御部１１２は、第１のセンサー部１１１から入力したセンサー出力値が一定時間内に変動する場合に、移動通信端末装置４０１が移動しているものと判定するとともに移動通信端末装置４０１が移動している移動検出情報を生成する。
【００７５】
時間計測部４１０は、時刻を計測し、計測した時刻を第１の認証周期決定部１１３へ出力する。
【００７６】
第１の認証周期決定部４１１は、入力部１１０から入力した時間帯と閾値とを関係付けた閾値選択用情報を作成して記憶する。また、第１の認証周期決定部４１１は、時間計測部４１０から時刻が入力する毎に、入力した時刻を用いて閾値選択用情報を参照して閾値を選択する。そして、第１の認証周期決定部４１１は、選択した閾値、第１の制御部１１２から入力した検出結果、及び第１の無線送受信部１１５から入力したキーユニット１０２の移動の有無の情報である移動検出情報に基づいて、認証周期を決定する。そして、第１の認証周期決定部４１１は、決定した認証周期をタイミング情報として第１のタイミング発生部１１４へ出力する。
【００７７】
第１のタイミング発生部１１４は、移動通信端末装置４０１がキーユニット４０２と間欠的に通信を行う場合のタイミングを制御する。また、第１のタイミング発生部１１４は、第１の認証周期決定部４１１から入力したタイミング情報の認証周期で認証を行うためのタイミング信号を生成する。そして、第１のタイミング発生部１１４は、生成したタイミング信号を第１の制御部１１２及び第１の無線送受信部１１５へ出力する。
【００７８】
第１の無線送受信部１１５は、第１のタイミング発生部１１４から入力したタイミング信号に従って、認証を行うタイミングで、第１のシーケンス処理部１１６から入力した認証情報を含むベースバンド信号により変調した無線信号をアンテナ１１７へ出力する。また、第１の無線送受信部１１５は、アンテナ１１７から入力した無線信号を復調しベースバンド信号を得る。そして、第１の無線送受信部１１５は、ベースバンド信号から認証情報及び移動検出情報を抽出し、抽出した認証情報を第１のシーケンス処理部１１６へ出力するとともに、抽出した移動検出情報を第１の認証周期決定部４１１へ出力する。
【００７９】
次に、キーユニット４０２の構成について説明する。
【００８０】
時間計測部４２０は、時刻を計測し、計測した時刻を第２の認証周期決定部１２２へ出力する。
【００８１】
入力部４２１は、外部からの操作により任意の時間帯及び各時間帯における閾値を設定することが可能であり、設定した時間帯及び閾値を第２の認証周期決定部１２２へ出力する。例えば、入力部４２１は、キーユニット４０２の移動が少ないと考えられる深夜の時間帯の閾値を、深夜以外の時間帯の閾値よりも小さい値に設定する。なお、入力部４２１は、あらかじめ設定した複数のしきい値を、設定した時間帯に応じて選択するような入力形態であっても良い。
【００８２】
移動検出手段である第２の制御部１２１は、第２のタイミング発生部１２３から入力したタイミング信号に従って、認証を行うタイミングで、第２のセンサー部１２０から入力したセンサー出力値に基づいて、キーユニット４０２の移動の有無の情報である移動検出情報を生成し、生成した移動検出情報を第２のシーケンス処理部１２５へ出力する。また、第２の制御部１２１は、第２のタイミング発生部１２３から入力したタイミング信号に従って、認証を行うタイミングで、第２のセンサー部１２０から入力したセンサー出力値に基づいて、キーユニット４０２が移動したか否かを判定し、判定結果を第２の認証周期決定部４２２へ出力する。具体的には、第２の制御部１２１は、第２のセンサー部１２０から入力したセンサー出力値が一定時間内に変動しない場合に、キーユニット４０２が静止しているものと判定するとともにキーユニット４０２が静止している移動検出情報を生成する。一方、第２の制御部１２１は、第２のセンサー部１２０から入力したセンサー出力値が一定時間内に変動する場合に、キーユニット４０２が移動しているものと判定するとともにキーユニット４０２が移動している移動検出情報を生成する。
【００８３】
第２の認証周期決定部４２２は、入力部４２１から入力した時間帯と閾値とを関係付けた閾値選択用情報を作成して記憶する。また、第２の認証周期決定部４２２は、時間計測部４２０から時刻が入力する毎に、入力した時刻を用いて閾値選択用情報を参照して閾値を選択する。そして、第２の認証周期決定部４２２は、選択した閾値、第２の制御部１２２から入力した検出結果、及び第２の無線送受信部１２４から入力した移動通信端末装置４０１の移動の有無の情報である移動情報に基づいて、認証周期を決定する。そして、第２の認証周期決定部４２２は、決定した認証周期をタイミング情報として第２のタイミング発生部１２３へ出力する。
【００８４】
第２のタイミング発生部１２３は、キーユニット４０２が移動通信端末装置４０１と間欠的に通信を行う場合のタイミングを制御する。また、第２のタイミング発生部１２３は、第２の認証周期決定部４２２から入力したタイミング情報の認証周期で認証を行うためのタイミング信号を生成する。そして、第２のタイミング発生部１２３は、生成したタイミング信号を第２の制御部１２１及び第２の無線送受信部１２４へ出力する。
【００８５】
第２の無線送受信部１２４は、第２のタイミング発生部１２３から入力したタイミング信号に従って、第２のシーケンス処理部１２５から入力した認証情報を含むベースバンド信号により変調した無線信号をアンテナ１２６へ出力する。また、第２の無線送受信部１２４は、アンテナ１２６から入力した信号を無線周波数を復調しベースバンド信号を得る。そして、第２の無線送受信部１２４は、ベースバンド信号から認証情報及び移動情報を抽出し、抽出した認証情報を第２のシーケンス処理部１２５へ出力するとともに、抽出した移動情報を第２の認証周期決定部４２２へ出力する。
【００８６】
次に、無線認証システム４００を用いた無線認証方法について、図５及び図６を用いて説明する。図５及び図６は、無線認証方法を示すフロー図である。なお、図５及び図６においては、図２及び図３と同一処理を行う部分には同一の符号を付してその説明は省略する。
【００８７】
最初に、移動通信端末装置４０１における無線認証方法について、図５を用いて説明する。
【００８８】
ステップＳＴ２１１において、Ｆβ＝０である場合には、第１の認証周期決定部４１１は、第１の無線送受信部１１５から取得したフラグＦβより、キーユニット４０２が静止しているか否か、即ちＦβ＝０であるか否かを判定する（ステップＳＴ２１１）。
【００８９】
Ｅβ＝０である場合には、第１の認証周期決定部４１１は、スリープ条件であるか否か、即ち時間計測部４１０から入力した時刻が、入力部１１０により移動が少ない時間帯として設定された時間帯に含まれるか否かを判定する（ステップＳＴ５０１）。
【００９０】
スリープ条件である場合には、第１の認証周期決定部４１１は、閾値選択用情報を参照することにより、スリープ条件ではない場合に比べて低い値の閾値Ｔ１を選択して設定する（ステップＳＴ５０２）。
【００９１】
一方、スリープ条件ではない場合には、第１の認証周期決定部４１１は、閾値選択用情報を参照することにより、スリープ条件である場合に比べて高い値の通常の閾値Ｔ０（Ｔ０＞Ｔ１）を選択して設定する（ステップＳＴ５０３）。即ち、閾値Ｔ１は、閾値Ｔ０に比べて認証周期を延長し易い値に設定された閾値である。
【００９２】
次に、第１の認証周期決定部４１１は、静止条件の重み付けを行う（ステップＳＴ２１２）。
【００９３】
次に、キーユニット４０２における無線認証方法について、図６を用いて説明する。
【００９４】
ステップＳＴ３０９において、Ｆβ＝０である場合には、第２の認証周期決定部４２２は、第２の無線送受信部１２４から取得したフラグＦαより、移動通信端末装置４０１が静止しているか否か、即ちＦα＝０であるか否かを判定する（ステップＳＴ３１１）。
【００９５】
Ｆα＝０である場合には、第２の認証周期決定部４２２は、スリープ条件であるか否か、即ち時間計測部４２０から入力した時刻が、入力部４２１により移動が少ない時間帯として設定された時間帯に含まれるか否かを判定する（ステップＳＴ６０１）。
【００９６】
スリープ条件である場合には、第２の認証周期決定部４２２は、閾値選択用情報を参照することにより、スリープ条件ではない場合に比べて低い値の閾値Ｔ１を選択して設定する（ステップＳＴ６０２）。
【００９７】
一方、スリープ条件ではない場合には、第２の認証周期決定部４２２は、閾値選択用情報を参照することにより、スリープ条件である場合に比べて高い値の通常の閾値Ｔ０（Ｔ０＞Ｔ１）を選択して設定する（ステップＳＴ６０３）。
【００９８】
次に、第２の認証周期決定部４２２は、静止条件の重み付けを行う（ステップＳＴ３１２）。
【００９９】
このように、本実施の形態２によれば、上記実施の形態１の効果に加えて、移動が少ないと考えられる時間帯の閾値を通常の閾値よりも低い値に設定するので、例えば深夜等の移動が少ない時間帯における認証周期を長く設定されやすくすることができることにより、認証の応答性を確保した状態で、さらに消費電力を低減することができる。
【０１００】
（実施の形態３）
図７及び図８は、本発明の実施の形態３に係る無線認証方法を示すフロー図である。なお、本実施の形態３においては、移動通信端末装置及びキーユニットは図１と同一構成であるので、その説明は省略する。
【０１０１】
最初に、移動通信端末装置１０１における無線認証方法について、図７を用いて説明する。なお、本実施の形態３において、移動通信端末装置及びキーユニットの構成は図１と同一構成であるので、図７では、移動通信端末装置及びキーユニットの参照符号は、図１
と同一の参照符号を用いて説明する。
【０１０２】
図７より、移動通信端末装置１０１の図示しない電源供給部は、移動通信端末装置１０１に電源を供給する（電源投入）（ステップＳＴ７０１）。
【０１０３】
次に、第１のシーケンス処理部１１６は、キーユニット１０２の第２のシーケンス処理部１２５との間で接続設定等のペアリング処理を行い、認証周期Ｐα＝Ｐ０で認証を行うための同期を取る（ステップＳＴ７０２）。
【０１０４】
次に、第１の認証周期決定部１１３は、移動検出量Δα及びフラグＥαをリセットする（Δα＝０、Ｅα＝０）（ステップＳＴ７０３）。ここで、「Δα」は、移動通信端末装置１０１の移動検出量、即ち移動通信端末装置１０１の所定時間における移動量を示す。
【０１０５】
次に、第１のセンサー部１１１は、移動通信端末装置１０１の移動の有無を検出し、第１の制御部１１２は、第１のセンサー部１１１におけるセンサー出力値に基づいて、移動通信端末装置１０１が移動したか否か、即ち移動通信端末装置１０１が静止しているか否かを判定する（ステップＳＴ７０４）。
【０１０６】
移動通信端末装置１０１が静止していると判定した場合に、第１の制御部１１２は、第１のタイミング発生部１１４から入力したタイミング信号に基づいて、認証のタイミングであるか否かを判定する（ステップＳＴ７０５）。
【０１０７】
一方、ステップＳＴ７０４において、第１の制御部１１２は、移動通信端末装置１０１が静止していないと判定した場合に、第１のセンサー部１１１から入力したセンサー出力値に基づいて移動検出量Δαを求める。そして、第１の認証周期決定部１１３は、第１の制御部１１２から移動検出量Δαを取得する毎に移動検出量Δαを更新し（ステップＳＴ７０６）、第１の制御部１１２は、第１のタイミング発生部１１４から入力したタイミング信号に基づいて、認証のタイミングであるか否かを判定する（ステップＳＴ７０５）。
【０１０８】
ステップＳＴ７０５において、第１の制御部１１２が認証のタイミングであると判定した場合に、第１のシーケンス処理部１１６は、第１の制御部１１２から認証のタイミングの通知を受けて、キーユニット１０２の第２のシーケンス処理部１２５との間で認証処理を行う（ステップＳＴ７０７）。この際に、第１のシーケンス処理部１１６は、第１の制御部１１２で求めた移動検出量Δαを取得し、取得した移動検出量Δαを移動検出情報として認証情報に付加し、第１の無線送受信部１１５は、移動検出情報を付加した認証情報をキーユニット１０２へ送信する。また、第１の無線送受信部１１５は、キーユニット１０２から送信されたキーユニット１０２の移動情報である移動検出量Δβをアンテナ１１７を介して受信する。一方、ステップＳＴ７０５において、第１の制御部１１２が認証のタイミングであると判定しない場合には、ステップＳＴ７０４〜ステップＳＴ７０６の処理を繰り返す。
【０１０９】
次に、移動通信端末装置１０１は、通信に成功したか否かを判定する（ステップＳＴ７０８）。
【０１１０】
通信に成功しなかった場合には、移動通信端末装置１０１は、ステップＳＴ７０４〜ステップＳＴ７０８の処理を繰り返す。
【０１１１】
一方、通信に成功した場合には、第１の認証周期決定部１１３は、第１の制御部１１２から取得した移動検出量Δαと、第１の無線送受信部１１５から取得した移動検出量Δβとが等しいか否かを判定する（Δα＝Δβ）（ステップＳＴ７０９）。
【０１１２】
Δα＝Δβでない場合には、第１の認証周期決定部１１３は、認証周期Ｐαをリセットして、認証周期ＰαをＰ０に設定する（Ｐα＝Ｐ０）（ステップＳＴ７１０）。
【０１１３】
一方、Δα＝Δβである場合には、第１の認証周期決定部１１３は、静止条件の重み付けを行う（ステップＳＴ７１１）。具体的には、第１の認証周期決定部１１３は、フラグＥαに重み係数Ｗｅを加算してフラグＥαの値を更新する（Ｅα＝Ｅα＋Ｗｅ）。
【０１１４】
次に、第１の認証周期決定部１１３は、更新後のフラグＥα（Ｅα＋Ｗｅ）が、閾値Ｔを超えているか否かを判定する（Ｅα＞Ｔ？）（ステップＳＴ７１２）。
【０１１５】
更新後のフラグＥαが、閾値Ｔを超えていない場合には、ステップＳＴ７０４〜ステップＳＴ７１２の処理を繰り返す。
【０１１６】
一方、更新後のフラグＥαが、閾値Ｔを超えている場合には、第１の認証周期決定部１１３は、認証周期を延長する（ステップＳＴ７１３）。具体的には、第１の認証周期決定部１１３は、認証周期ＰαにΔＰを加算して認証周期Ｐαを更新する（Ｐα＝Ｐα＋ΔＰ）。この際に、第１の認証周期決定部１１３は、更新後の認証周期Ｐαが上限閾値以上の場合には、認証周期Ｐαが上限閾値以上にならないように、認証周期Ｐαを上限閾値に設定する。
【０１１７】
そして、ステップＳＴ７１０において認証周期をリセットした後、またはステップＳＴ７１３において認証周期を延長した後に、ステップＳＴ７０３〜ステップＳＴ７１３の処理を繰り返す。
【０１１８】
次に、キーユニット１０２における無線認証方法について、図８を用いて説明する。
【０１１９】
図８より、キーユニット１０２の図示しない電源供給部は、キーユニット１０２に電源を供給する（電源投入）（ステップＳＴ８０１）。
【０１２０】
次に、第２のシーケンス処理部１２５は、移動通信端末装置１０１の第１のシーケンス処理部１１６との間で接続設定等のペアリング処理を行い、認証周期Ｐβ＝Ｐ０で認証を行うための同期を取る（ステップＳＴ８０２）。
【０１２１】
次に、第２の認証周期決定部１２２は、移動検出量Δβ及びフラグＥβをリセットする（Δβ＝０、Ｅβ＝０）（ステップＳＴ８０３）。ここで、「Δβ」は、キーユニット１０２の移動検出量、即ちキーユニット１０２の所定時間における移動量を示す。
【０１２２】
次に、第２のセンサー部１２０は、キーユニット１０２の移動の有無を検出し、第２の制御部１２１は、第２のセンサー部１２０におけるセンサー出力値に基づいて、キーユニット１０２が移動したか否か、即ちキーユニット１０２が静止しているか否かを判定する（ステップＳＴ８０４）。
【０１２３】
キーユニット１０２が静止していると判定した場合に、第２の制御部１２１は、第２のタイミング発生部１２３から入力したタイミング信号に基づいて、認証のタイミングであるか否かを判定する（ステップＳＴ８０５）。
【０１２４】
一方、ステップＳＴ８０４において、第２の制御部１２１は、キーユニット１０２が静止していないと判定した場合に、第２のセンサー部１２０から入力したセンサー出力値に基づいて移動検出量Δβを求める。そして、第２の認証周期決定部１２２は、第２の制御
部１２１から移動検出量Δβを取得する毎に移動検出量Δβを更新し（ステップＳＴ８０６）、第２の制御部１２１は、第２のタイミング発生部１２３から入力したタイミング信号に基づいて、認証のタイミングであるか否かを判定する（ステップＳＴ８０５）。
【０１２５】
ステップＳＴ８０５において、第２の制御部１２１が認証のタイミングであると判定した場合に、第２のシーケンス処理部１２５は、第２の制御部１２１から認証のタイミングの通知を受けて、移動通信端末装置１０１の第１のシーケンス処理部１１６との間で認証処理を行う（ステップＳＴ３０７）。この際に、第２のシーケンス処理部１２５は、第２の制御部１２１で求めた移動検出量Δβを取得し、取得した移動検出量Δβを移動検出情報として認証情報に付加し、第２の無線送受信部１２４は、移動検出情報を付加した認証情報を移動通信端末装置１０１へ送信する。また、第２の無線送受信部１２４は、移動通信端末装置１０１から送信された移動通信端末装置１０１の移動情報である移動検出量Δαをアンテナ１２６を介して受信する。一方、ステップＳＴ８０５において、第２の制御部１２１が認証のタイミングであると判定しない場合には、ステップＳＴ８０４〜ステップＳＴ８０６の処理を繰り返す。
【０１２６】
次に、キーユニット１０２は、通信に成功したか否かを判定する（ステップＳＴ８０８）。
【０１２７】
通信に成功しなかった場合には、キーユニット１０２は、ステップＳＴ８０４〜ステップＳＴ８０８の処理を繰り返す。
【０１２８】
一方、通信に成功した場合には、第２の認証周期決定部１２２は、第２の制御部１２１から取得した移動検出量Δβと、第２の無線送受信部１２４から取得した移動検出量Δαとが等しいか否かを判定する（Δα＝Δβ）（ステップＳＴ８０９）。
【０１２９】
Δα＝Δβでない場合には、第２の認証周期決定部１２２は、認証周期Ｐβをリセットして、認証周期ＰβをＰ０に設定する（Ｐβ＝Ｐ０）（ステップＳＴ８１０）。
【０１３０】
一方、Δα＝Δβである場合には、第２の認証周期決定部１２２は、静止条件の重み付けを行う（ステップＳＴ８１１）。具体的には、第２の認証周期決定部１２２は、フラグＥβに重み係数Ｗｅを加算してフラグＥβの値を更新する（Ｅβ＝Ｅβ＋Ｗｅ）。
【０１３１】
次に、第２の認証周期決定部１２２は、更新後のフラグＥβ（Ｅβ＋Ｗｅ）が、閾値Ｔを超えているか否かを判定する（Ｅβ＞Ｔ？）（ステップＳＴ８１２）。
【０１３２】
更新後のフラグＥβが、閾値Ｔを超えていない場合には、ステップＳＴ８０４〜ステップＳＴ８１２の処理を繰り返す。
【０１３３】
一方、更新後のフラグＥβが、閾値Ｔを超えている場合には、第２の認証周期決定部１２２は、認証周期を延長する（ステップＳＴ８１３）。具体的には、第２の認証周期決定部１２２は、認証周期ＰβにΔＰを加算して認証周期Ｐβを更新する（Ｐβ＝Ｐβ＋ΔＰ）。この際に、第２の認証周期決定部１２２は、更新後の認証周期Ｐβが上限閾値以上の場合には、認証周期Ｐβが上限閾値以上にならないように、認証周期Ｐβを上限閾値に設定する。
【０１３４】
そして、ステップＳＴ８１０において認証周期をリセットした後、またはステップＳＴ８１３において認証周期を延長した後に、ステップＳＴ８０３〜ステップＳＴ８１３の処理を繰り返す。
【０１３５】
ここで、第１の認証周期決定部１１３または第２の認証周期決定部１２２は、図７または図８に示すように、Δα＝Δβである場合には、Δα＝Δβでない場合に比べて、認証周期を長くするとしたが、これに限らず、ΔαとΔβとの差（または差の絶対値）が所定の値よりも小さい場合には、ΔαとΔβとの差（または差の絶対値）が所定の値以上の場合に比べて、認証周期を長くするようにしてもよい。
【０１３６】
このように、本実施の形態３によれば、認証相手の移動を考慮した認証間隔を決定することにより、認証の応答性の確保と消費電力の低減との両立を図ることができる。また、本実施の形態３によれば、移動通信端末装置及びキーユニットが静止していると判定する毎に静止条件の重み付けを行い、重み付けの都度、重み付け後のフラグと閾値とを比較し、重み付け後のフラグが閾値より大きくなった場合に初めて認証周期を延長するので、誤った判定結果により不用意に認証周期が延長されてしまうことを防ぐことができる。また、本実施の形態３によれば、検出した移動検出量に基づいて認証周期を延長するので、例えば移動通信端末装置とキーユニットが、極めて接近した場所に有るにも関わらず、同じ電車内で移動しているために移動が検出されているような場合でも認証周期を延長することができるので、認証の応答性を確保した状態で、さらに消費電力を低減することができる。
【０１３７】
なお、本実施の形態３は、上記実施の形態２に適用することができる。
【０１３８】
（実施の形態４）
図９は、本発明の実施の形態４に係る無線認証システム９００を示すブロック図である。本実施の形態４においては、移動通信端末装置９０１とキーユニット９０２とから無線認証システム９００が構成される場合を例に説明する。なお、無線認証システム９００は、移動通信端末装置９０１とキーユニット９０２とから構成される場合に限らず、任意の複数の移動可能な移動通信装置により構成することが可能である。
【０１３９】
本実施の形態４に係る移動通信端末装置９０１は、図１に示す実施の形態１に係る移動通信端末装置１０１において、図９に示すように、第１の認証周期決定部１１３の代わりに第１の認証周期決定部９１０を有し、第１の無線送受信部１１５の代わりに第１の無線送受信部９１１を有するとともに、第１のシーケンス処理部１１６の代わりに第１のシーケンス処理部９１２を有する。なお、図９においては、図１と同一構成である部分には同一の符号を付してその説明は省略する。
【０１４０】
最初に、移動通信端末装置９０１の構成について説明する。
【０１４１】
移動検出手段である第１の制御部１１２は、入力部１１０から入力した信号を処理する。また、第１の制御部１１２は、第１のタイミング発生部１１４から入力したタイミング信号に従って、認証を行うタイミングで、第１のセンサー部１１１から入力したセンサー出力値に基づいて、移動通信端末装置９０１が移動したか否かを判定し、判定結果を第１の認証周期決定部９１０へ出力する。具体的には、第１の制御部１１２は、第１のセンサー部１１１から入力したセンサー出力値が一定時間内に変動しない場合に、移動通信端末装置９０１が静止しているものと判定する。一方、第１の制御部１１２は、第１のセンサー部１１１から入力したセンサー出力値が一定時間内に変動する場合に、移動通信端末装置９０１が移動しているものと判定する。
【０１４２】
第１の認証周期決定部９１０は、第１の制御部１１２から入力した判定結果と、第１の無線送受信部１１５から入力したキーユニット９０２の移動の有無の情報である移動検出情報とに基づいて、認証周期を決定する。そして、第１の認証周期決定部１１３は、決定した認証周期をタイミング情報として第１のタイミング発生部１１４へ出力するとともに
、決定した認証周期を第１のシーケンス処理部９１２へ出力する。
【０１４３】
第１のタイミング発生部１１４は、移動通信端末装置９０１がキーユニット９０２と間欠的に通信を行う場合のタイミングを制御する。また、第１のタイミング発生部１１４は、第１の認証周期決定部９１０から入力したタイミング情報の認証周期で認証を行うためのタイミング信号を生成する。そして、第１のタイミング発生部１１４は、生成したタイミング信号を第１の制御部１１２及び第１の無線送受信部９１１へ出力する。
【０１４４】
第１の無線送受信部９１１は、第１のタイミング発生部１１４から入力したタイミング信号に従って、第１のシーケンス処理部９１２から入力した認証情報を含むベースバンド信号により変調した無線信号をアンテナ１１７へ出力する。また、第１の無線送受信部９１１は、アンテナ１１７から入力した無線信号を復調しベースバンド信号を得る。そして、第１の無線送受信部９１１は、ベースバンド信号から認証情報及びキーユニット９０２の移動検出情報を抽出し、抽出した認証情報を第１のシーケンス処理部９１２へ出力するとともに、抽出した移動検出情報を第１の認証周期決定部９１０へ出力する。
【０１４５】
認証手段である第１のシーケンス処理部９１２は、キーユニット９０２が移動通信端末装置９０１を認証するための情報である認証情報を第１の無線送受信部９１１へ出力する。この際に、第１のシーケンス処理部９１２は、第１の認証周期決定部９１０から入力した認証周期の情報である認証周期情報を認証情報に付加し、認証周期情報を付加した認証情報を第１の無線送受信部９１１へ出力する。また、第１のシーケンス処理部９１２は、第１の無線送受信部９１１から入力した認証情報に基づいて、キーユニット９０２を認証する。具体的には、第１のシーケンス処理部９１２は、キーユニット９０２の第２のシーケンス処理部９２４が所有するＩＤと予め関連付けされたＩＤを所有し、無線通信により互いが１対であることを把握することで常時認証を行う。
【０１４６】
次に、キーユニット９０２の構成について説明する。
【０１４７】
第２のセンサー部９２０は、キーユニット９０２が移動したことを検出し、検出結果を第２の制御部９２１へ出力する。第２のセンサー部９２０は、例えば、加速度センサー、ＧＰＳ、ＣＣＤセンサー、液晶の照度制御用光センサーである。
【０１４８】
移動検出手段である第２の制御部９２１は、第２のタイミング発生部９２２から入力したタイミング信号に従って、認証を行うタイミングで、第２のセンサー部９２０から入力したセンサー出力値に基づいて、キーユニット９０２の移動の有無の情報である移動検出情報を生成し、生成した移動検出情報を第２のシーケンス処理部９２４へ出力する。具体的には、第２の制御部９２１は、第２のセンサー部９２０から入力したセンサー出力値が一定時間内に変動しない場合に、キーユニット９０２が静止している移動検出情報を生成する。一方、第２の制御部９２１は、第２のセンサー部９２０から入力したセンサー出力値が一定時間内に変動する場合に、キーユニット９０２が移動している移動検出情報を生成する。
【０１４９】
第２のタイミング発生部９２２は、キーユニット９０２が移動通信端末装置９０１と間欠的に通信を行う場合のタイミングを制御する。また、第２のタイミング発生部９２２は、第２の無線送受信部９２３から入力した認証周期情報の認証周期で認証を行うためのタイミング信号を生成する。そして、第２のタイミング発生部９２２は、生成したタイミング信号を第２の制御部９２１及び第２の無線送受信部９２３へ出力する。
【０１５０】
第２の無線送受信部９２３は、第２のタイミング発生部９２２から入力したタイミング信号に従って、認証を行うタイミングで、第２のシーケンス処理部９２４から入力した認
証情報を含むベースバンド信号により変調した無線信号をアンテナ９２５へ出力する。また、第２の無線送受信部９２３は、アンテナ９２５から入力した無線信号を復調しベースバンド信号を得る。そして、第２の無線送受信部９２３は、ベースバンド信号から認証情報及び認証周期情報を抽出し、抽出した認証情報を第２のシーケンス処理部９２４へ出力するとともに、抽出した認証周期情報を第２のタイミング発生部９２２へ出力する。
【０１５１】
認証手段である第２のシーケンス処理部９２４は、移動通信端末装置９０１がキーユニット９０２を認証するための情報である認証情報を第２の無線送受信部９２３へ出力する。この際に、第２のシーケンス処理部９２４は、第２の制御部９２１から入力した移動検出情報を認証情報に付加し、移動検出情報を付加した認証情報を第２の無線送受信部９２３へ出力する。また、第２のシーケンス処理部９２４は、第２の無線送受信部９２３から入力した認証情報に基づいて、移動通信端末装置９０１を認証する。具体的には、第２のシーケンス処理部９２４は、移動通信端末装置９０１の第１のシーケンス処理部９１２が所有するＩＤと予め関連付けされたＩＤを所有し、無線通信により互いが１対であることを把握することで常時認証を行う。
【０１５２】
アンテナ９２５は、第２の無線送受信部９２３から入力した信号を移動通信端末装置９０１に対して送信するとともに、移動通信端末装置９０１から送信された信号を受信して第２の無線送受信部９２３へ出力する。
【０１５３】
次に、無線認証システム１００を用いた無線認証方法について、図１０及び図１１を用いて説明する。図１０及び図１１は、無線認証方法を示すフロー図である。
【０１５４】
最初に、キーユニット９０２における無線認証方法について、図１０を用いて説明する。
【０１５５】
図１０より、キーユニット９０２の図示しない電源供給部は、キーユニット９０２に電源を供給する（電源投入）（ステップＳＴ１００１）。
【０１５６】
次に、第２のシーケンス処理部９２４は、移動通信端末装置９０１の第１のシーケンス処理部９１２との間で接続設定等のペアリング処理を行い、認証周期Ｐａ＝Ｐ０で認証を行うための同期を取る（ステップＳＴ１００２）。
【０１５７】
次に、第２の制御部９２１は、フラグＦβをリセットする（Ｆβ＝０）（ステップＳＴ１００３）。
【０１５８】
次に、第２のセンサー部９２０は、キーユニット９０２の移動の有無を検出し、第２の制御部９２１は、第２のセンサー部９２０におけるセンサー出力値に基づいて、キーユニット９０２が移動したか否か、即ちキーユニット９０２が静止しているか否かを判定する（ステップＳＴ１００４）。
【０１５９】
キーユニット９０２が静止していると判定した場合に、第２の制御部９２１は、第２のタイミング発生部９２２から入力したタイミング信号に基づいて、認証のタイミングであるか否かを判定する（ステップＳＴ１００５）。
【０１６０】
一方、ステップＳＴ１００４において、第２の制御部９２１は、キーユニット９０２が静止していないと判定した場合に、キーユニット９０２のフラグＦβを「１」に設定し（Ｆβ＝１）（ステップＳＴ１００６）、第２の制御部９２１は、第２のタイミング発生部９２２から入力したタイミング信号に基づいて、認証のタイミングであるか否かを判定する（ステップＳＴ１００５）。
【０１６１】
ステップＳＴ１００５において、第２の制御部９２１が認証のタイミングであると判定した場合に、第２のシーケンス処理部９２４は、第２の制御部９２１から認証のタイミングの通知を受けて、移動通信端末装置９０１の第１のシーケンス処理部９１２との間で認証処理を行う（ステップＳＴ１００７）。この際に、第２のシーケンス処理部９２４は、第２の制御部９２１で設定したフラグＦβを取得し、取得したフラグＦβを移動検出情報として認証情報に付加し、第２の無線送受信部９２３は、移動検出情報を付加した認証情報を移動通信端末装置９０１へ送信する。また、第２の無線送受信部９２３は、移動通信端末装置９０１から送信された、移動通信端末装置９０１で決定した認証周期Ｐの情報である認証周期情報をアンテナ９２５を介して受信する。一方、ステップＳＴ１００５において、第２の制御部９２１が認証のタイミングであると判定しない場合には、ステップＳＴ１００４〜ステップＳＴ１００６の処理を繰り返す。
【０１６２】
次に、キーユニット９０２は、通信に成功したか否かを判定する（ステップＳＴ１００８）。
【０１６３】
通信に成功しなかった場合には、キーユニット９０２は、ステップＳＴ１００４〜ステップＳＴ１００８の処理を繰り返す。
【０１６４】
一方、通信に成功した場合には、キーユニット９０２の第２のタイミング発生部９２２は、キーユニット９０２が受信した認証周期情報の認証周期で認証を行うように、即ち移動通信端末装置９０１の第１の認証周期決定部９１０で決定した認証周期で認証を行うようにタイミングを制御する。
【０１６５】
次に、移動通信端末装置９０１における無線認証方法について、図１１を用いて説明する。
【０１６６】
図１１より、移動通信端末装置９０１の図示しない電源供給部は、移動通信端末装置９０１に電源を供給する（電源投入）（ステップＳＴ１１０１）。
【０１６７】
次に、第１のシーケンス処理部９１２は、キーユニット９０２の第２のシーケンス処理部９２４との間で接続設定等のペアリング処理を行い、認証周期Ｐａ＝Ｐ０で認証を行うための同期を取る（ステップＳＴ１１０２）。
【０１６８】
次に、第１の制御部１１２は、フラグＦαをリセットし、第１の認証周期決定部９１０は、フラグＥをリセットするとともに認証周期Ｐを認証周期決定後の認証周期Ｐａに設定する（Ｆα＝０、Ｅ＝０、Ｐ＝Ｐａ）（ステップＳＴ１１０３）。
【０１６９】
次に、第１のセンサー部１１１は、移動通信端末装置９０１の移動の有無を検出し、第１の制御部１１２は、第１のセンサー部１１１におけるセンサー出力値に基づいて、移動通信端末装置９０１が移動したか否か、即ち移動通信端末装置９０１が静止しているか否かを判定する（ステップＳＴ１１０４）。
【０１７０】
移動通信端末装置９０１が静止していると判定した場合に、第１の制御部１１２は、第１のタイミング発生部１１４から入力したタイミング信号に基づいて、認証のタイミングであるか否かを判定する（ステップＳＴ１１０５）。
【０１７１】
一方、ステップＳＴ１１０４において、第１の制御部１１２は、移動通信端末装置９０１が静止していないと判定した場合に、移動通信端末装置９０１のフラグＦαを「１」に設定し（Ｆα＝１）（ステップＳＴ１１０６）、第１の制御部１１２は、第１のタイミン
グ発生部１１４から入力したタイミング信号に基づいて、認証のタイミングであるか否かを判定する（ステップＳＴ１１０５）。
【０１７２】
ステップＳＴ１１０５において、第１の制御部１１２が認証のタイミングであると判定した場合に、第１のシーケンス処理部９１２は、第１の制御部１１２から認証のタイミングの通知を受けて、キーユニット９０２の第２のシーケンス処理部９２４との間で認証処理を行う（ステップＳＴ１１０７）。この際に、第１のシーケンス処理部９１２は、第１の認証周期決定部９１０から認証周期Ｐａを取得し、取得した認証周期Ｐａの情報を認証周期情報として認証情報に付加し、第１の無線送受信部９１１は、認証周期情報を付加した認証情報をキーユニット９０２へ送信する。また、第１の無線送受信部９１１は、キーユニット９０２から送信されたキーユニット９０２の移動の有無を示すフラグＦβをアンテナ１１７を介して受信する。一方、ステップＳＴ１１０５において、第１の制御部１１２が認証のタイミングであると判定しない場合には、ステップＳＴ１１０４〜ステップＳＴ１１０６の処理を繰り返す。
【０１７３】
次に、移動通信端末装置９０１は、通信に成功したか否かを判定する（ステップＳＴ１１０８）。
【０１７４】
通信に成功しなかった場合には、移動通信端末装置９０１は、ステップＳＴ１１０４〜ステップＳＴ１１０８の処理を繰り返す。
【０１７５】
一方、通信に成功した場合には、第１の認証周期決定部９１０は、第１の制御部１１２から取得したフラグＦαより、移動通信端末装置９０１が静止しているか否か、即ちＦα＝０であるか否かを判定する（ステップＳＴ１１０９）。
【０１７６】
Ｆα＝０でない場合には、第１の認証周期決定部９１０は、認証周期Ｐａをリセットして、認証周期ＰａをＰ０に設定する（Ｐａ＝Ｐ０）（ステップＳＴ１１１０）。
【０１７７】
一方、Ｆα＝０である場合には、第１の認証周期決定部９１０は、第１の無線送受信部９１１から取得したフラグＦβより、キーユニット９０２が静止しているか否か、即ちＦβ＝０であるか否かを判定する（ステップＳＴ１１１１）。
【０１７８】
Ｆβ＝０でない場合には、第１の認証周期決定部９１０は、認証周期Ｐａをリセットして、認証周期ＰａをＰ０に設定する（Ｐａ＝Ｐ０）（ステップＳＴ１１１０）。
【０１７９】
一方、Ｆβ＝０である場合には、第１の認証周期決定部９１０は、静止条件の重み付けを行う（ステップＳＴ１１１２）。具体的には、第１の認証周期決定部９１０は、フラグＥに重み係数Ｗｅを加算してフラグＥの値を更新する（Ｅ＝Ｅ＋Ｗｅ）。
【０１８０】
次に、第１の認証周期決定部９１０は、更新後のフラグＥ（Ｅ＋Ｗｅ）が、閾値Ｔを超えているか否かを判定する（Ｅ＞Ｔ？）（ステップＳＴ１１１３）。
【０１８１】
更新後のフラグＥが、閾値Ｔを超えていない場合には、ステップＳＴ１１０４〜ステップＳＴ１１１３の処理を繰り返す。
【０１８２】
一方、更新後のフラグＥが、閾値Ｔを超えている場合には、第１の認証周期決定部９１０は、認証周期を延長する（ステップＳＴ１１１４）。具体的には、第１の認証周期決定部９１０は、認証周期ＰにΔＰを加算して認証周期Ｐａを更新する（Ｐａ＝Ｐ＋ΔＰ）。この際に、第１の認証周期決定部９１０は、更新後の認証周期Ｐａが上限閾値以上の場合には、認証周期Ｐaが上限閾値以上にならないように、認証周期Ｐａを上限閾値に設定す
る。
【０１８３】
そして、ステップＳＴ１１１０において認証周期をリセットした後、またはステップＳＴ１１１４において認証周期を延長した後に、ステップＳＴ１１０３〜ステップＳＴ１１１４の処理を繰り返す。
【０１８４】
このように、本実施の形態４によれば、上記実施の形態１の効果に加えて、移動通信端末装置のみが認証周期を決定するので、キーユニットにおける処理負荷を軽減することができる。
【０１８５】
なお、本実施の形態４は、上記実施の形態２または実施の形態３に適用することができる。
【０１８６】
上記実施の形態１〜実施の形態４において、第１のセンサー部１１１及び第２のセンサー部１２０、９２０で移動の有無または移動量を検出したが、これに限らず、通話開始等の操作ボタンが操作されたことにより生じる信号の検出等の移動通信端末装置またはキーユニットに設けられた操作ボタンが操作されたことを検出した場合に、移動通信端末装置またはキーユニットが移動したもの、あるいはこれから移動通信端末装置またはキーユニットが移動するものと判定して、認証周期を変化させても良い。また、上記実施の形態１〜実施の形態４において、認証周期の下限値を電源投入時の認証周期Ｐ０にしたが、これに限らず、移動通信端末装置またはキーユニットの移動の有無の検出に応じて、電源投入時の認証周期Ｐ０よりも短くなるようにしても良い。また、上記実施の形態１〜実施の形態４において、加速度センサー等の第１のセンサー部１１１及び第２のセンサー部１２０、９２０で移動の有無または移動量を検出したが、これに限らず、基地局情報またはアクセスポイント情報の変化を検出した際に、移動通信端末装置またはキーユニットが移動したものと判定しても良い。この場合、基地局情報として、セルを識別する情報であるセルＩＤを用いることができ、また、アクセスポイント情報として、アクセスポイント固有の識別情報を用いることができる。さらに、メッシュネットワークのトポロジーの変更またはＰＡＮ（personal area network）のトポロジーの変更を検出した際に、移動通信端末装置またはキーユニットが移動したものと判定しても良い。
【産業上の利用可能性】
【０１８７】
本発明にかかる移動通信装置、無線認証システム及び無線認証方法は、特に無線認証を行うのに好適である。
【図面の簡単な説明】
【０１８８】
【図１】本発明の実施の形態１に係る無線認証システムの構成を示す図
【図２】本発明の実施の形態１に係る無線認証方法を示すフロー図
【図３】本発明の実施の形態１に係る無線認証方法を示すフロー図
【図４】本発明の実施の形態２に係る無線認証システムの構成を示す図
【図５】本発明の実施の形態２に係る無線認証方法を示すフロー図
【図６】本発明の実施の形態２に係る無線認証方法を示すフロー図
【図７】本発明の実施の形態３に係る無線認証方法を示すフロー図
【図８】本発明の実施の形態３に係る無線認証方法を示すフロー図
【図９】本発明の実施の形態４に係る無線認証システムの構成を示す図
【図１０】本発明の実施の形態４に係る無線認証方法を示すフロー図
【図１１】本発明の実施の形態４に係る無線認証方法を示すフロー図
【手続補正３】
【補正対象書類名】図面
【補正対象項目名】全図
【補正方法】変更
【補正の内容】
【図１】
2008081547.tif 000014
【図２】
2008081547.tif 000015
【図３】
2008081547.tif 000016
【図４】
2008081547.tif 000017
【図５】
2008081547.tif 000018
【図６】
2008081547.tif 000019
【図７】
2008081547.tif 000020
【図８】
2008081547.tif 000021
【図９】
2008081547.tif 000022
【図１０】
2008081547.tif 000023
【図１１】
2008081547.tif 000024
【国際調査報告】
2008081547.tif 000025
2008081547.tif 000026
2008081547.tif 000027
2008081547.tif 000028